(57)【要約】本明細書は、モジューラーソナーシーケンスを使用して端末と基地局との間の送受信過程で使われる信号パターンを生成する方法及びその装置に関して開示している。
2012523736.tif 000002
【特許請求の範囲】
【請求項１】
無線通信システムにおけるユーザ装置の位置を測定するための位置参照信号パターンを生成する方法であって、
決まったモジューラーソナーシーケンスのサイズＭとＮに対し、第１のＭ×Ｎモジューラーソナーシーケンスを生成するステップと、
前記生成された第１のＭ×Ｎモジューラーソナーシーケンスをシステムに特化した情報によって第２のＭ×Ｎモジューラーソナーシーケンスに変換するステップと、
前記生成された第２のＭ×Ｎモジューラーソナーシーケンスから位置参照信号パターンを形成して位置参照信号をマッピングするステップと、
を含むことを特徴とする、位置参照信号パターン生成方法。
【請求項２】
前記決まったモジューラーソナーシーケンスのサイズＭとＮに対し、第１のＭ×Ｎモジューラーソナーシーケンスを生成するステップは、
サブフレーム毎に時間軸を列に、周波数軸を行にして、２次元をなす１つのサブフレーム構造で位置参照信号のために使用可能な行と列の個数を考慮し、モジューラーソナーシーケンスの生成方法により組合可能なモジューラーＭと長さＮのうち、使用可能な行と列を最も多く利用できる組合から決まったモジューラーソナーシーケンスのサイズＭとＮに対し、
前記ＭとＮの組合が可能なモジューラーソナーシーケンスの生成方法から第１のＭ×Ｎモジューラーソナーシーケンスを生成することを特徴とする、請求項１に記載の位置参照信号パターン生成方法。
【請求項３】
前記モジューラーソナーシーケンスの生成方法は、
「クォドラティック」、「エクスポテンシャルウェルチ」、「ロガリズミックウェルチ」、「レンペル」、「ゴロム」、「拡張されたエクスポテンシャルウェルチ」、「シフトシーケンス」方法のうち、少なくとも１つ以上であることを特徴とする、請求項２に記載の位置参照信号パターン生成方法。
【請求項４】
前記生成された第１のＭ×Ｎモジューラーソナーシーケンスをシステムに特化した情報によって第２のＭ×Ｎモジューラーソナーシーケンスに変換するステップは、
第１のＭ×Ｎモジューラーソナーシーケンスｆに対し、システムに特化した情報によって各々区別される値を有するｕ、ｓ、ａから数式ｇ（ｉ）＝ｕｆ（ｉ）＋ｓｉ＋ａによって第２のＭ×Ｎモジューラーソナーシーケンスｇに変換することを特徴とする、請求項１に記載の位置参照信号パターン生成方法。
【請求項５】
前記生成された第１のＭ×Ｎモジューラーソナーシーケンスをシステムに特化した情報によって第２のＭ×Ｎモジューラーソナーシーケンスに変換するステップは、
第１のＭ×Ｎモジューラーソナーシーケンスに対し、システムに特化した情報によって各々区別される値を有する周波数軸への循環シフト値と時間軸への循環シフト値から第２のＭ×Ｎモジューラーソナーシーケンスに変換することを特徴とする、請求項１に記載の位置参照信号パターン生成方法。
【請求項６】
区分しなければならない前記システムに特化した情報の総数がＴ個である時、
０とＴ−１の間の値であるｔをＭまたはＮで割った商と余りの値のうち、１つは周波数軸への循環シフト値に、他の１つは時間軸への循環シフト値にすることを特徴とする、請求項５に記載の位置参照信号パターン生成方法。
【請求項７】
2012523736.tif 000063
【請求項８】
前記システムに特化した情報は、基地局情報、中継ノード情報、移動機情報、サブフレームナンバー、ＣＰサイズのうち、少なくとも１つ以上であることを特徴とする、請求項１に記載の位置参照信号パターン生成方法。
【請求項９】
前記システムに特化した情報のうち、基地局情報は、基地局ＩＤであることを特徴とする、請求項８に記載の位置参照信号パターン生成方法。
【請求項１０】
前記生成された第２のＭ×Ｎモジューラーソナーシーケンスから位置参照信号パターンを形成して位置参照信号をマッピングするステップは、
生成された第２のＭ×Ｎモジューラーソナーシーケンスのｉ番目のシーケンス値ｆ（ｉ）に対し、サブフレーム毎に時間軸を列に、周波数軸を行にして２次元をなす１つのサブフレーム構造において、
Ｍ（サブキャリア）×Ｎ（シンボル）モジューラーソナーシーケンスの場合、ｉ番目の使用可能な列とｆ（ｉ）番目の使用可能な行とが交差する地点に、
Ｍ（シンボル）×Ｎ（サブキャリア）モジューラーソナーシーケンスの場合、ｆ（ｉ）番目の使用可能な列とｉ番目の使用可能な行とが交差する地点に、前記サブフレームのための位置参照信号のシーケンス値がマッピングされることを特徴とする、請求項１に記載の位置参照信号パターン生成方法。
【請求項１１】
Ｍ＝１１、Ｎ＝１０の時に生成される第１のＭ×Ｎモジューラーソナーシーケンスは、
「エクスポテンシャルウェルチ」または「拡張されたエクスポテンシャルウェルチ」方法のうち、少なくとも１つの方法により生成され、｛２、４、８、５、１０、９、７、３、６、１｝、｛１、３、７、４、９、８、６、２、５、１１｝、｛１、２、４、８、５、１０、９、７、３、６｝のうちの１つであることを特徴とする、請求項１に記載の位置参照信号パターン生成方法。
【請求項１２】
Ｍ＝１０、Ｎ＝９の時に生成される第１のＭ×Ｎモジューラーソナーシーケンスは、
「レンペル」または「ゴロム」方法のうちの少なくとも１つの方法により生成され、｛５、３、２、７、１、８、４、６、９｝であることを特徴とする、請求項１に記載の位置参照信号パターン生成方法。
【請求項１３】
Ｍ＝８、Ｎ＝７の時に生成される第１のＭ×Ｎモジューラーソナーシーケンスは、
「レンペル」または「ゴロム」方法のうちの少なくとも１つの方法により生成され、｛２、１、６、４、７、３、５｝であることを特徴とする、請求項１に記載の位置参照信号パターン生成方法。
【請求項１４】
無線通信システムにおけるユーザ装置の位置を測定するための位置参照信号パターンを生成する方法であって、
決まったモジューラーソナーシーケンスのサイズＭとＮに対し、第１のＭ×Ｎモジューラーソナーシーケンスを生成するステップと、
前記生成された長さＮを有する第１のＭ×Ｎモジューラーソナーシーケンスの端Ｎ′だけを切って第１のＭ×（Ｎ−Ｎ′）モジューラーソナーシーケンスを生成するステップと、
前記生成された第１のＭ×（Ｎ−Ｎ′）モジューラーソナーシーケンスをシステムに特化した情報によって第２のＭ×（Ｎ−Ｎ′）モジューラーソナーシーケンスに変換するステップと、
前記生成された第２のＭ×（Ｎ−Ｎ′）モジューラーソナーシーケンスから位置参照信号パターンを形成して位置参照信号をマッピングするステップと、
を含むことを特徴とする、位置参照信号パターン生成方法。
【請求項１５】
無線通信システムにおけるユーザ装置の位置を測定するための位置参照信号パターンを生成する方法であって、
決まったモジューラーソナーシーケンスのサイズＭとＮに対し、第１のＭ×Ｎモジューラーソナーシーケンスを生成するステップと、
前記生成された第１のＭ×Ｎモジューラーソナーシーケンスをシステムに特化した情報によって第２のＭ×Ｎモジューラーソナーシーケンスに変換するステップと、
前記生成された長さＮを有する第２のＭ×Ｎモジューラーソナーシーケンスの端Ｎ′だけを切って第２のＭ×（Ｎ−Ｎ′）モジューラーソナーシーケンスを生成するステップと、
前記生成された第２のＭ×（Ｎ−Ｎ′）モジューラーソナーシーケンスから位置参照信号パターンを形成して位置参照信号をマッピングするステップと、
を含むことを特徴とする、位置参照信号パターン生成方法。
【請求項１６】
Ｍ＝Ｎの場合、前記第１のＭ×Ｎモジューラーソナーシーケンスは、コスタスアレイであることを特徴とする、請求項１４または１５に記載の位置参照信号パターン生成方法。
【請求項１７】
Ｍ＝１２、Ｎ＝１２の時に生成される第１のＭ×Ｎモジューラーソナーシーケンスは、
「ロガリズミックウェルチ」方法により生成され、｛１２（＝０）、１、４、２、９、５、１１、３、８、１０、７、６｝、｛１１、０、３、１、８、４、１０、２、７、９、６、５｝のうちの１つであることを特徴とする、請求項１４または１５に記載の位置参照信号パターン生成方法。
【請求項１８】
Ｍ＝１２、Ｎ＝１１の時に生成される第１のＭ×Ｎモジューラーソナーシーケンスは、
「レンペル」または「ゴロム」方法のうちの少なくとも１つの方法により生成され、｛６、１０、５、７、３、１、４、９、８、２、１１｝であることを特徴とする、請求項１４または１５に記載の位置参照信号パターン生成方法。
【請求項１９】
無線通信システムにおけるユーザ装置の位置を測定するための位置参照信号パターン生成装置であって、
決まったモジューラーソナーシーケンスのサイズＭとＮに対し、第１のＭ×Ｎモジューラーソナーシーケンスを生成し、生成された第１のＭ×Ｎモジューラーソナーシーケンスをシステムに特化した情報によって第２のＭ×Ｎモジューラーソナーシーケンスに変換するＭ×Ｎモジューラーソナーシーケンス生成部と、
前記Ｍ×Ｎモジューラーソナーシーケンス生成部を通じて生成された第２のＭ×Ｎモジューラーソナーシーケンスから位置参照信号パターンを形成して位置参照信号をマッピングする位置参照信号マッピング部と、
を含むことを特徴とする、位置参照信号パターン生成装置。
【請求項２０】
無線通信システムにおけるユーザ装置の位置を測定するための位置参照信号パターン生成装置であって、
決まったモジューラーソナーシーケンスのサイズＭとＮに対し、第１のＭ×Ｎモジューラーソナーシーケンスを生成するＭ×Ｎモジューラーソナーシーケンス生成部と、
前記Ｍ×Ｎモジューラーソナーシーケンス生成部を通じて生成された長さＮを有する第１のＭ×Ｎモジューラーソナーシーケンスの端Ｎ′だけを切って第１のＭ×（Ｎ−Ｎ′）モジューラーソナーシーケンスを生成し、生成された第１のＭ×（Ｎ−Ｎ′）モジューラーソナーシーケンスをシステムに特化した情報によって第２のＭ×（Ｎ−Ｎ′）モジューラーソナーシーケンスに変換するＭ×（Ｎ−Ｎ′）モジューラーソナーシーケンス生成部と、
前記Ｍ×（Ｎ−Ｎ′）モジューラーソナーシーケンス生成部を通じて生成された第２のＭ×（Ｎ−Ｎ′）モジューラーソナーシーケンスから位置参照信号パターンを形成して位置参照信号をマッピングする位置参照信号マッピング部と、
を含むことを特徴とする、位置参照信号パターン生成装置。
【請求項２１】
無線通信システムにおけるユーザ装置の位置を測定するための位置参照信号パターン生成装置であって、
決まったモジューラーソナーシーケンスのサイズＭとＮに対し、第１のＭ×Ｎモジューラーソナーシーケンスを生成するＭ×Ｎモジューラーソナーシーケンス生成部と、
前記Ｍ×Ｎモジューラーソナーシーケンス生成部を通じて生成された第１のＭ×Ｎモジューラーソナーシーケンスをシステムに特化した情報によって第２のＭ×Ｎモジューラーソナーシーケンスに変換し、変換された長さＮを有する第２のＭ×Ｎモジューラーソナーシーケンスの端Ｎ′だけを切って第２のＭ×（Ｎ−Ｎ′）モジューラーソナーシーケンスを生成するＭ×（Ｎ−Ｎ′）モジューラーソナーシーケンス生成部と、
前記Ｍ×（Ｎ−Ｎ′）モジューラーソナーシーケンス生成部を通じて生成された第２のＭ×（Ｎ−Ｎ′）モジューラーソナーシーケンスから位置参照信号パターンを形成して位置参照信号をマッピングする位置参照信号マッピング部と、
を含むことを特徴とする、位置参照信号パターン生成装置。
【請求項２２】
少なくとも１つ以上の基地局と少なくとも１つ以上の端末を含み、前記基地局及び端末の各々は、少なくとも１つ以上のアンテナを含み、リソースブロックに少なくとも１つ以上のシンボルを含む特定の信号を送受信し、前記リソースブロックの各々は、複数のＯＦＤＭサブキャリアとラジオフレームの内の１つの時間スロットに複数のＯＦＤＭシンボルを含み、前記ラジオフレームは複数のサブフレームを含むＯＦＤＭ基盤の無線通信システムであって、
決まったＭとＮに対し、第１のＭ×Ｎモジューラーソナーシーケンスを生成するステップと、
前記生成された第１のＭ×Ｎモジューラーソナーシーケンスをシステムに特化した情報によって第２のＭ×Ｎモジューラーソナーシーケンスに変換するステップと、
前記生成された第２のＭ×Ｎモジューラーソナーシーケンスから前記特定の信号のパターンを形成するステップと、
を含むことを特徴とする、信号パターン生成方法。
【請求項２３】
少なくとも１つ以上の基地局と少なくとも１つ以上の端末を含み、前記基地局及び端末の各々は、少なくとも１つ以上のアンテナを含み、リソースブロックに少なくとも１つ以上のシンボルを含む特定の信号を送受信し、前記リソースブロックの各々は複数のＯＦＤＭサブキャリアとラジオフレームの内の１つの時間スロットに複数のＯＦＤＭシンボルを含み、前記ラジオフレームは、複数のサブフレームを含むＯＦＤＭ基盤の無線通信システムであって、
決まったＭとＮに対し、第１のＭ×Ｎモジューラーソナーシーケンスを生成するステップと、
前記生成された第１のＭ×Ｎモジューラーソナーシーケンスをシステムに特化した情報によって第２のＭ×Ｎモジューラーソナーシーケンスに変換するステップと、
前記生成された長さＮを有する第２のＭ×Ｎモジューラーソナーシーケンスの端Ｎ′だけを切って第２のＭ×（Ｎ−Ｎ′）モジューラーソナーシーケンスを生成するステップと、
前記生成された第２のＭ×（Ｎ−Ｎ′）モジューラーソナーシーケンスから前記特定の信号のパターンを形成するステップと、
を含むことを特徴とする、信号パターン生成方法。
【請求項２４】
前記特定の信号は、端末と基地局との間の無線通信過程で必要とされるチャンネルの推定、位置の推定、制御情報の送受信、スケジューリング情報の送受信、フィードバック情報の送受信のうち、少なくともいずれか１つ以上のために特定の時間及び周波数帯域で転送される信号であることを特徴とする、請求項２２または２３に記載の信号パターン生成方法。
【請求項２５】
前記特定の信号は、端末の位置を測定するための位置参照信号であることを特徴とする、請求項２２または２３に記載の信号パターン生成方法。
【請求項２６】
前記第２のＭ×Ｎモジューラーソナーシーケンスに変換するステップで、
前記ＯＦＤＭサブキャリアと前記ＯＦＤＭシンボルから構成された前記サブフレームでモジューラーソナーシーケンスをサブキャリア軸とシンボル軸の全てに対して循環シフトしたり、サブキャリア軸とシンボル軸のうちの１つのみに対して全体循環シフトしたり、シンボル軸の一部及び／またはサブキャリア軸の一部のみに対して循環シフトして、前記生成された第１のＭ×Ｎモジューラーソナーシーケンスをシステムに特化した情報によって第２のＭ×Ｎモジューラーソナーシーケンスに変換することを特徴とする、請求項２２または２３に記載の信号パターン生成方法。
【請求項２７】
前記生成された第１のＭ×Ｎモジューラーソナーシーケンスをシステムに特化した情報によって第２のＭ×Ｎモジューラーソナーシーケンスに変換するステップは、
第１のＭ×Ｎモジューラーソナーシーケンスに対し、システムに特化した情報によって各々区別される値を有する周波数軸への循環シフト値と時間軸への循環シフト値から第２のＭ×Ｎモジューラーソナーシーケンスに変換することを特徴とする、請求項２２または２３に記載の信号パターン生成方法。
【請求項２８】
区分しなければならない前記システムに特化した情報の総数がＴ個である時、０とＴ−１との間の値であるｔをＭまたはＮで割った商と余りの値のうち、１つは周波数軸への循環シフト値に、他の１つは時間軸への循環シフト値にすることを特徴とする、請求項２７に記載の信号パターン生成方法。
【請求項２９】
2012523736.tif 000064
【請求項３０】
2012523736.tif 000065
【請求項３１】
2012523736.tif 000066
【請求項３２】
2012523736.tif 000067
【請求項３３】
2012523736.tif 000068
【請求項３４】
2012523736.tif 000069
【請求項３５】
前記生成されたモジューラーソナーシーケンスから前記特定の信号のパターンを形成するステップは、
前記生成されたモジューラーソナーシーケンスのｉ番目のシーケンス値ｆ（ｉ）に対し、サブフレーム毎に時間軸を列に、周波数軸を行にして２次元をなす１つのサブフレーム構造において、
ｉ番目の使用可能な列と、ｆ（ｉ）番目の使用可能な行とが交差する地点に、前記サブフレームのための信号のパターンが形成されることを特徴とする、請求項２２または２３に記載の信号パターン生成方法。
【請求項３６】
2012523736.tif 000070
【請求項３７】
Ｍ＝Ｎの場合、前記第１のＭ×Ｎモジューラーソナーシーケンスは、コスタスアレイであることを特徴とする、請求項２２または２３に記載の信号パターン生成方法。
【請求項３８】
前記Ｍ＝１２であり、前記システムに特化した情報によって生成された第２のＭ×Ｎモジューラーソナーシーケンスの区別される種類の数は１４４、２４、１２、６のうちの１つであることを特徴とする、請求項２２または２３に記載の信号パターン生成方法。
【請求項３９】
Ｍ＝１２、Ｎ＝１２の時に生成される第１のＭ×Ｎモジューラーソナーシーケンスは、
「ロガリズミックウェルチ」方法により生成され、｛１２（＝０）、１、４、２、９、５、１１、３、８、１０、７、６｝または｛１１、０、３、１、８、４、１０、２、７、９、６、５｝のうちの１つであることを特徴とする、請求項２２または２３に記載の信号パターン生成方法。
【請求項４０】
ダウンリンクからチャンネルコーディングを経てコードワード形態に入力されるビットをスクランブリングするスクランブラと、
前記スクランブラによりスクランブリングされたビットを複素モジュレーションシンボルに変調するモジュレーションマッパーと、
複素モジュレーションシンボルを１つまたは多数の転送レイヤにマッピングするレイヤマッパーと、
アンテナポートの各転送チャンネル上で複素モジュレーションシンボルをプリコーディングするプリコーダと、
各アンテナポートに対する複素モジュレーションシンボルを該当リソースエレメントにマッピングするリソースエレメントマッパーと、
生成された第１のＭ×Ｎモジューラーソナーシーケンスをシステムに特化した情報によって第２のＭ×Ｎモジューラーソナーシーケンスに変換し、変換された長さＮを有する第２のＭ×Ｎモジューラーソナーシーケンスの端Ｎ′だけを切って生成された第２のＭ×（Ｎ−Ｎ′）モジューラーソナーシーケンスから位置参照信号パターンを形成して位置参照信号をマッピングする位置参照信号マッピング部と、
含むことを特徴とする送信装置。
【請求項４１】
各アンテナポートを介して受信された信号で特定のリソースエレメントに割り当てられた位置参照信号を抽出する受信処理部と、
モジューラーソナーシーケンスから形成されたセル毎に特化した位置参照信号のパターンを用いて、前記抽出された位置参照信号をデコーディングするデコーディング部と、
前記デコーディングされた位置参照信号を通じて前記セルからの信号の相対的な到着時間を用いて、前記セルまでの距離を計算したり、前記相対的な到着時間を転送するように制御する制御部と、
を含むことを特徴とする、受信装置。
【請求項４２】
2012523736.tif 000071
【請求項４３】
2012523736.tif 000072
【請求項４４】
2012523736.tif 000073
【請求項４５】
2012523736.tif 000074
【請求項４６】
前記長さがＮである特定のシーケンスは、Ｎが６であり、｛０、１、２、３、４、５、６｝であることを特徴とする、請求項４５に記載の位置参照信号パターン生成方法。
【請求項４７】
2012523736.tif 000075
【請求項４８】
2012523736.tif 000076
【請求項４９】
2012523736.tif 000077
【請求項５０】
2012523736.tif 000078
【請求項５１】
2012523736.tif 000079
【請求項５２】
前記特定の周期は１６、３２、６４、１２８フレーム周期であることを特徴とする、請求項４２に記載の位置参照信号パターン生成方法。
【請求項５３】
前記Ｎsubframe個は１つまたは２個、４個、６個であり、前記Ｎsubframe個のサブフレームは前記位置参照信号が割り当てられた前記サブフレームを含む特定のフレームの初めに順次に位置することを特徴とする、請求項４２に記載の位置参照信号パターン生成方法。
【請求項５４】
前記位置参照信号が割り当てられた前記サブフレームは、特定の周期のフレームの全体の０．１％〜１％に該当するサブフレームであることを特徴とする、請求項５３に記載の位置参照信号パターン生成方法。
【請求項５５】
少なくとも１つ以上の基地局と少なくとも１つ以上の端末を含み、前記基地局及び端末の各々は、少なくとも１つ以上のアンテナを含み、リソースブロックに少なくとも１つ以上のシンボルを含む特定の信号を送受信し、前記リソースブロックの各々は複数のＯＦＤＭサブキャリアとラジオフレームの内の１つの時間スロットに該当する複数のＯＦＤＭシンボルを含み、前記ラジオフレームは複数のサブフレームを含むＯＦＤＭ基盤の無線通信システムであって、
決まったＭとＮに対し、第１のＭ×Ｎモジューラーソナーシーケンスを生成するステップと、
前記生成された第１のＭ×Ｎモジューラーソナーシーケンスをシステムに特化した情報によってnsubframe（０≦nsubframe＜Ｎsubframe、Ｎsubframeは１以上の自然数）番目のサブフレームに対し、第２のＭ×Ｎモジューラーソナーシーケンスに変換するステップと、
前記nsubframe番目のサブフレームに対し、前記生成された長さＮを有する第２のＭ×Ｎモジューラーソナーシーケンスの端Ｎ′（０≦Ｎ′≦Ｎ−１）だけ切って第２のＭ×（Ｎ−Ｎ′）モジューラーソナーシーケンスを生成するステップと、
前記nsubframe番目のサブフレームに対し、前記生成された第２のＭ×（Ｎ−Ｎ′）モジューラーソナーシーケンスから前記特定の信号のパターンを形成するステップと、
前記nsubframe番目のサブフレームに対して形成された前記特定の信号のパターンを特定の周期の特定のフレーム毎に前記特定のフレームの前記Ｎsubframe個のサブフレームのnsubframe番目のサブフレームに割り当てるステップと、
を含むことを特徴とする、信号パターンの割当方法。
【請求項５６】
前記特定の信号は、端末と基地局との間の無線通信過程で必要とされるチャンネルの推定、位置の推定、制御情報の送受信、スケジューリング情報の送受信、フィードバック情報の送受信のうち、少なくともいずれか１つ以上のために特定の時間及び周波数帯域で転送される信号であることを特徴とする、請求項５５に記載の信号パターンの割当方法。
【請求項５７】
前記特定の信号は、端末の位置を測定するための位置参照信号であることを特徴とする、請求項５５に記載の信号パターンの割当方法。
【請求項５８】
前記特定の周期は１６、３２、６４、１２８フレーム周期であることを特徴とする、請求項５５に記載の信号パターンの割当方法。
【請求項５９】
前記Ｎsubframe個は１つまたは２個、４個、６個であり、前記Ｎsubframe個のサブフレームは前記特定の信号が割り当てられた前記サブフレームを含む特定のフレームの初めに順次に位置することを特徴とする、請求項５５に記載の信号パターンの割当方法。
【請求項６０】
前記特定の信号が割り当てられた前記サブフレームは、特定の周期のフレームの全体の０．１％〜１％に該当するサブフレームであることを特徴とする、請求項５９に記載の信号パターンの割当方法。
【請求項６１】
形成されたパターンを割り当てる特定のフレームのサブフレームは、周波数軸に帯域割当幅の全体または一部を使用することを特徴とする、請求項５５に記載の信号パターンの割当方法。
【請求項６２】
前記生成された第１のＭ×Ｎモジューラーソナーシーケンスをシステムに特化した情報によってnsubframe番目のサブフレームに対し、第２のＭ×Ｎモジューラーソナーシーケンスに変換するステップは、
第１のＭ×Ｎモジューラーソナーシーケンスに対し、システムに特化した情報によって各々区別される値を有する周波数軸への循環シフト値と時間軸への循環シフト値から第２のＭ×Ｎモジューラーソナーシーケンスに変換することを特徴とする、請求項５５に記載の信号パターンの割当方法。
【請求項６３】
前記Ｎsubframe個のサブフレームに割り当てられる前記パターンは互いに同一であるとか、少なくとも一部が異なることを特徴とする、請求項５５に記載の信号パターンの割当方法。
【請求項６４】
2012523736.tif 000080
【請求項６５】
2012523736.tif 000081
【請求項６６】
2012523736.tif 000082
【請求項６７】
2012523736.tif 000083
【請求項６８】
2012523736.tif 000084
【請求項６９】
2012523736.tif 000085
【請求項７０】
前記Ｎsubframe個のサブフレームに割り当てるステップで、前記Ｎsubframe個のサブフレームが４以上の偶数である場合、偶数番目のサブフレームと奇数番目のサブフレームは前記特定の信号を各々同一なパターンで割り当てることを特徴とする、請求項５５に記載の信号パターンの割当方法。
【請求項７１】
Ｍ＝１２、Ｎ＝１２の時に生成される第１のＭ×Ｎモジューラーソナーシーケンスは、
「ロガリズミックウェルチ」方法により生成され、｛１２（＝０）、１、４、２、９、５、１１、３、８、１０、７、６｝または｛１１、０、３、１、８、４、１０、２、７、９、６、５｝のうちの１つであることを特徴とする、請求項５５に記載の信号パターンの割当方法。
【請求項７２】
Ｍ＝Ｎの場合、前記第１のＭ×Ｎモジューラーソナーシーケンスは、コスタスアレイ（Costas Array）であることを特徴とする、請求項５５に記載の信号パターンの割当方法。
【請求項７３】
ダウンリンクからチャンネルコーディングを経てコードワード形態に入力されるビットをスクランブリングするスクランブラと、
前記スクランブラによりスクランブリングされたビットを複素モジュレーションシンボルに変調するモジュレーションマッパーと、
複素モジュレーションシンボルを１つまたは多数の転送レイヤにマッピングするレイヤマッパーと、
アンテナポートの各転送チャンネル上で複素モジュレーションシンボルをプリコーディングするプリコーダと、
各アンテナポートに対する複素モジュレーションシンボルを該当リソースエレメントにマッピングするリソースエレメントマッパーと、
生成された第１のＭ×Ｎモジューラーソナーシーケンスをシステムに特化した情報によって毎ｎsubframe（０≦ｎsubframe＜Ｎsubframe、Ｎsubframeは１以上の自然数）番目のサブフレームに対し、第２のＭ×Ｎモジューラーソナーシーケンスに変換し、長さＮを有する第２のＭ×Ｎモジューラーソナーシーケンスの端Ｎ′（０≦Ｎ′≦Ｎ−１）だけ切って第２のＭ×（Ｎ−Ｎ′）モジューラーソナーシーケンスを生成し、前記生成された第２のＭ×（Ｎ−Ｎ′）モジューラーソナーシーケンスから前記特定の信号のパターンを形成し、形成された前記特定の信号のパターンを特定の周期の特定のフレーム毎に前記特定のフレーム上のＮsubframe個のサブフレームに割り当てる位置参照信号マッピング部と、
を含むことを特徴とする、送信装置。
【請求項７４】
各アンテナポートを介して受信された信号で、特定のリソースエレメントに割り当てられた位置参照信号を抽出する受信処理部と、
モジューラーソナーシーケンスから形成されたセル毎に特化した位置参照信号のパターンを用いて、前記抽出された位置参照信号をデコーディングするデコーディング部と、
前記デコーディングされた位置参照信号を通じて前記セルからの位置参照信号パワーの相対的な到着時間を測定して前記セルまでの距離を計算したり、前記相対的な到着時間を転送するように制御する制御部と、
を含むことを特徴とする、受信装置。
【請求項７５】
２個以上のサブフレームに前記位置参照信号が含まれた場合、前記制御部は各サブフレームの位置参照信号のパターンを同時に累積して信号パワーの到着時間を測定して前記セルから相対的な到着時間を測定することを特徴とする、請求項６４に記載の受信装置。
【請求項７６】
２個以上のサブフレームに前記位置参照信号が含まれた場合、前記制御部は各サブフレームの位置参照信号のパターンの各々の信号パワーの到着時間を測定して前記セルから相対的な到着時間を測定することを特徴とする、請求項７４に記載の受信装置。
【発明の詳細な説明】
【技術分野】
【０００１】
本明細書に開示された実施形態は、無線通信システムにおける端末と基地局との間の送受信過程で使われる信号パターン（Signal Pattern）を生成する方法及びその装置に関するものである。特に、本発明は信号パターンのうち、ＯＦＤＭ（Orthogonal Frequency Division Multiplexing：直交周波数分割多重方式）基盤の無線移動通信システムにおいて、ＵＥ（User Equipment：移動機）の位置（Position）を参照信号（Reference Signal、あるいはパイロット）を通じてＯＴＤＯＡ（Observed Time Difference of Arrival）方法により測定するにために使われる信号パターンであるセルに特化した（Cell-specific）位置参照信号（Positioning Reference Signal：ＰＲＳ）パターン（Pattern）の生成方法及びその装置に関するものである。
【背景技術】
【０００２】
端末と基地局との間の無線通信過程で必要とされるチャンネルの推定、位置の推定、及び制御情報やスケジューリングのための情報の送受信などのために、端末あるいは基地局は特定の時間及び周波数帯域で規定された信号を受け渡す。即ち、時間（time）／周波数（frequency）の２次元ドメイン（2-dimentional domain）グリッド（gird）の内に規則または不規則な間隔で特定の信号またはシンボルを挿入することができる。この特定の信号が時間／周波数の２次元領域で挿入される形態を信号パターン（Signal Pattern）という。例として、参照信号（Reference Signal：ＲＳ）は周波数ドメインチャンネルの推定のために特定の時間及び周波数帯域で送られるようになり、この参照信号が送られる特定の時間及び周波数帯域に対する規則に対するものが参照信号パターンである。
【０００３】
本明細書は、このような信号パターンを、モジューラーソナーシーケンスを用いて形成する技術に関するものである。特に、本発明はＯＦＤＭ基盤の無線通信システムにおける端末（ＵＥ）の位置（Position）を、参照信号を通じてＯＴＤＯＡ方法により測定するのに使われる信号パターンであるセルに特化したい位置参照信号パターンを形成する技術に関するものである。
【発明の概要】
【発明が解決しようとする課題】
【０００４】
本発明の目的は、上記のような端末と基地局との間の無線通信過程で必要とされるチャンネルの推定、位置の推定、及び制御情報やスケジューリングのための情報の送受信などのために端末あるいは基地局で特定の時間及び周波数帯域で受け渡す信号のパターンを形成する効果的な新たな方法を提供することにある。
【０００５】
本発明の目的は、上記のようなＯＦＤＭ（Orthogonal  Frequency  Division  Multiplexing）基盤の無線移動通信システムにおけるＵＥ（User Equipment）の位置をポジショニング（Positioning）のための参照信号（Reference Signal、あるいはパイロット）を通じてＯＴＤＯＡ（Observed Time Difference of Arrival）方法により把握するために、既存の非同期式ＣＤＭＡを基盤にしたＷＣＤＭＡ方式における、ＯＦＤＭ基盤の多重化（Multiplexing）方式と接続（Access）方式など、通信基盤が変わることによる新たな資源割当構造において、ポジショニングのための参照信号（Reference Signal for Positioning：ＰＲＳ）を構成する効果的な新たな方法を提供することにある。
【０００６】
本発明の目的は、ＯＦＤＭ（Orthogonal  Frequency  Division  Multiplexing）基盤の無線移動通信システムにおいて、ＵＥの移動速度の上昇、基地局間の干渉（Interference）の環境の変化と複雑性の増大など、通信システムの発展により要求されるより正確なポジショニング（Positioning）方法のためにセルに特化した、区別可能な個数と性能面に優れる位置参照信号（Positioning Reference Signal：ＰＲＳ）のパターン（Pattern）を提供することにある。
【０００７】
このために、本発明ではモジューラーソナーシーケンス（Modular Sonar sequence）を用いて各資源割当構造でセル毎に特化した互いに異なるパターンを有する信号パターンを生成する方法を提供し、これを通じて区別可能な個数面で、既存に比べて格段に多い数のシステムに特化した情報に従うパターン生成が可能であり、区別可能な性能面で、各パターンが時間（time；ＯＦＤＭ構造上でのシンボル（symbol））軸、または周波数（frequency；ＯＦＤＭ構造上でのサブキャリア（subcarrier））軸に循環遅延（Cyclic delay）しても本来のパターンとの重複（overlapping）により発生するエラーを既存のものに比べて最小化する位置参照信号パターンの生成方法を提供する。
【０００８】
本発明は、モジューラーソナーシーケンス（Modular Sonar sequence）を用いてセル毎に特化した互いに異なるパターンを有する信号パターンを生成し、その生成されたパターンを１つ以上のサブフレームに割り当てる割当方法を提供する。
【課題を解決するための手段】
【０００９】
上記の目的を達成するために、少なくとも１つ以上の基地局と少なくとも１つ以上の端末（ＵＥ、ユーザ装置）を含み、各々の基地局及び端末は少なくとも１つ以上のアンテナを含み、リソースブロック（Resource Block）に少なくとも１つ以上のシンボルを含む特定の信号を送受信し、上記リソースブロックの各々は、複数のＯＦＤＭサブキャリア（subcarrier）とラジオフレーム（Radio frame）の内の１つの時間スロットに該当する複数のＯＦＤＭシンボルを含み、上記ラジオフレームは複数のサブフレームを含むＯＦＤＭ基盤の無線通信システムにおいて、上記各々の基地局及び端末のうちの少なくとも１つ以上は、生成されたＭ×Ｎモジューラーソナーシーケンスから上記特定の信号のパターンを形成して信号をマッピングするステップを含む信号パターン生成方法及びその装置、これを用いる送受信装置を提供する。
【００１０】
また、上記Ｍ×Ｎモジューラーソナーシーケンスと同一な特性を示すシーケンスを信号のパターン生成に使用する方法及びその装置、これを用いた送受信装置を提供する。
【発明の効果】
【００１１】
本明細書の実施形態のうちの１つである前述したモジューラーソナーシーケンス（Modular Sonar sequence）を用いた位置参照信号（Positioning Reference Signal：ＰＲＳ）パターン（Pattern）の生成方法の効果を説明すると、次の通りである。
【００１２】
本発明に係るモジューラーソナーシーケンスを用いた位置参照信号パターンの生成方法によれば、各パターンこの時間（time；ＯＦＤＭ構造上でのシンボル（symbol））軸または周波数（frequency；ＯＦＤＭ構造上でのサブキャリア（subcarrier））軸に循環遅延（Cyclic delay）しても本来のパターンとの重複（overlapping）により発生するエラーを既存のものに比べて最小化することができ、また各資源割当構造で既存のものに比べて格段に多い数の基地局（セル）毎に特化した互いに異なるパターンを有する位置参照信号パターンを生成することができる。
【図面の簡単な説明】
【００１３】
【図１】本発明の一態様におけるＭ×Ｎモジューラーソナーシーケンスを用いて位置参照信号（ＰＲＳ）のパターン（pattern）を形成する装置を示す図である。
【図２】ＬＴＥ（Long Term Evolution）システムのＭＢＳＦＮ（Multicast Broadcast Single Frequency Network）サブフレーム（subframe）構造での上記本発明の一態様における実施形態を示す図である。
【図３】ＬＴＥ（Long Term Evolution）システムのＭＢＳＦＮ（Multicast Broadcast Single Frequency Network）サブフレーム（subframe）構造での上記本発明の一態様における実施形態を示す図である。
【図４】ＬＴＥ（Long Term Evolution）システムのＭＢＳＦＮ（Multicast Broadcast Single Frequency Network）サブフレーム（subframe）構造での上記本発明の一態様における実施形態を示す図である。
【図５】ＬＴＥ（Long Term Evolution）システムのノーマル（Normal）ＣＰ（Cyclic Prefix）を有するノーマルサブフレーム（Normal subframe）構造での上記本発明の一態様における実施形態を示す図である。
【図６】はＬＴＥ（Long Term Evolution）システムの拡張（Extended）ＣＰ（Cyclic Prefix）を有するノーマルサブフレーム（Normal subframe）構造での上記本発明の一態様における実施形態を示す図である。
【図７】ＬＴＥ（Long Term Evolution）システムの拡張（Extended）ＣＰ（Cyclic Prefix）を有するノーマルサブフレーム（Normal subframe）構造での上記本発明の一態様における他の実施形態を示す図である。
【図８】ＬＴＥ（Long Term Evolution）システムの拡張（Extended）ＣＰ（Cyclic Prefix）を有するノーマルサブフレーム（Normal subframe）構造での上記本発明の一態様における他の実施形態を示す図である。
【図９】本発明の他の態様（第２態様）でのＭ×（Ｎ−Ｎ′）モジューラーソナーシーケンスを用いて位置参照信号（ＰＲＳ）のパターン（pattern）を形成する装置を示す図である。
【図１０】ＬＴＥ（Long Term Evolution）システムのＭＢＳＦＮ（Multicast Broadcast Single Frequency Network）サブフレーム（subframe）構造での上記本発明の他の態様における実施形態を示す図である。
【図１１】ＬＴＥ（Long Term Evolution）システムのノーマル（Normal）ＣＰ（Cyclic Prefix）を有するノーマルサブフレーム（Normal subframe）構造での上記本発明の他の態様における実施形態を示す図である。
【図１２】ＬＴＥ（Long Term Evolution）システムの拡張（Extended）ＣＰ（Cyclic Prefix）を有するノーマルサブフレーム（Normal subframe）構造での上記本発明の他の態様における実施形態を示す図である。
【図１３】ＬＴＥ（Long Term Evolution）システムのＭＢＳＦＮ（Multicast Broadcast Single Frequency Network）サブフレーム（subframe）構造での上記本発明の他の態様における実施形態を示す図である。
【図１４】ＬＴＥ（Long Term Evolution）システムのノーマル（Normal）ＣＰ（Cyclic Prefix）を有するノーマルサブフレーム（Normal subframe）構造での上記本発明の他の態様における実施形態を示す図である。
【図１５】ＬＴＥ（Long Term Evolution）システムの拡張（Extended）ＣＰ（Cyclic Prefix）を有するノーマルサブフレーム（Normal subframe）構造での上記本発明の他の態様における実施形態を示す図である。
【図１６】本発明の更に他の実施形態により１つ以上のサブフレームに位置参照信号パターンが形成されたフレーム及びサブフレームの構造図である。
【図１７】本発明の実施形態が適用される無線通信システムのダウンリンク物理チャンネルの信号生成構造を示す図である。
【図１８】無線通信システムにおける受信機の構造を示す図である。
【図１９】ＬＴＥ（Long Term Evolution）システムのノーマル（Normal）ＣＰ（Cyclic Prefix）及び拡張（Extended）ＣＰ（Cyclic Prefix）を有するノーマルサブフレーム（Normal subframe）構造での上記本発明の更に他の態様における実施形態を示す図である。
【図２０】ＬＴＥ（Long Term Evolution）システムのノーマル（Normal）ＣＰ（Cyclic Prefix）及び拡張（Extended）ＣＰ（Cyclic Prefix）を有するノーマルサブフレーム（Normal subframe）構造での上記本発明の更に他の態様における実施形態を示す図である。
【発明を実施するための形態】
【００１４】
本発明の他の目的、特徴、及び利点は、添付の図面を参照した実施形態の詳細な説明を通じて明らかになる。
【００１５】
以下、上記の目的を具体的に実現できる本発明の好ましい実施形態を添付した図面を参照しつつ説明する。この際、図面に図示され、またこれによって説明される本発明の構成と作用は少なくとも１つの実施形態として説明されるものであり、これによって、本発明の技術的事象とその核心構成及び作用が制限されるものではない。
【００１６】
ＷＣＤＭＡ（Wideband Code Division Multiple Access）での各種位置サービス（Location Service）及び通信上で必要とする位置情報（Location Information）提供のためのポジショニング（Positioning）方法は、大別して、１）セル−カバレッジ基盤ポジショニング方法（cell coverage-based positioning method）、２）ＯＴＤＯＡ−ＩＰＤＬ（Observed Time Difference of Arrival-Idle Period Downlink）方法、３）ネットワークがサポートするＧＰＳを用いた方法（network-assisted GPS methods）の３つ方法を基盤としている。各方法は互いに競争的であるよりは補完的であり、各々の互いに異なる目的によって適切に使われている。
【００１７】
その中で、ＯＴＤＯＡ（Observed Time Difference of Arrival）方法は、互いに異なる基地局（Base Station、あるいはセル（Cell））からの参照信号（ＲＳ：Reference Signal、あるいはパイロット（Pilot））の相対的な到着時間を移動測定することを基盤とする。位置計算のためには、ＵＥ（User Equipment、あるいはＭＳ（Mobile Station））は、少なくとも３個以上の互いに異なる基地局（Base Station、あるいはセル（Cell））から該当参照信号（ＲＳ）を受信しなければならない。ＯＴＤＯＡ位置測定を容易にし、near-far問題を避けるために、ＷＣＤＭＡ標準ではＩＰＤＬ（Idle Periods in Downlink）を含む。このアイドル（Idle）の期間（Period）の間、ＵＥ（User Equipment、あるいはＭＳ（Mobile Station））は、同一の周波数上の現在のＵＥが位置しているセル（Serving Cell）からの参照信号（ＲＳ、あるいはパイロット（Pilot））が強くても、隣接するセル（Neighbor Cell）からの参照信号（ＲＳ、あるいはパイロット（Pilot））を受けることができなければならない。
【００１８】
このようなＯＴＤＯＡ方法によるポジショニング（Positioning）において、測定の正確性は、１）ＵＥ（User Equipment、あるいはＭＳ（Mobile Station））が区別して参照信号（ＲＳ、あるいはパイロット（Pilot））を受信することができる基地局（Base Station、あるいはセル（Cell））の数（最小３個以上、多ければ多いほど正確性は向上する）、２）基地局の相対的な位置（基地局がＵＥと互いに異なる方向に位置してあれば、正確性は向上する）、３）可視線（line-of-sight、ＵＥと基地局との間が互いに可視線にあれば、正確性は向上する）などに依存する。即ち、ＵＥあるいは各ネットワーク（Network）上の基地局が隣接する基地局から参照信号（ＲＳ、あるいはPilot）を受ける時、隣接する各基地局が送る各々の参照信号を互いによく区別して受信できなければならず、その区別可能な個数と性能が増加すれば、上記３個の考慮事項を満たすことができる。言い換えると、基地局（セル）に特化（Cell-specific）した区別される優れた性能を有する参照信号（ＲＳ、あるいはPilot）を多く受信すれば受信するほど、１）受信することができる基地局の数の増加、２）その中で、相対的に良い位置にある最小３箇所以上の基地局を選択することができる場合も確率的に増加、３）その中で、相対的に良い可視線（ling-of-sight）にある最小３箇所以上の基地局を選択することができる場合も確率的に増加して、より正確なＯＴＤＯＡ測定による正確な位置情報を獲得することができる。
【００１９】
３ＧＰＰ系列のＷＣＤＭＡから発展したＬＴＥ（Long Term Evolution）システムの場合、ＷＣＤＭＡの非同期式ＣＤＭＡ（Code Division Multiple Access）方式とは異なり、ＯＦＤＭ（Orthogonal  Frequency  Division  Multiplexing）を基盤としている。現在、前述したＷＣＤＭＡでＯＴＤＯＡ方法によりポジショニング（Positioning）をしたように、新たなＬＴＥシステムでもＯＴＤＯＡ方法を基盤にしてポジショニング（Positioning）することを考慮しており、このために、ＭＢＳＦＮ（Multicast Broadcast Single Frequency Network）サブフレーム（subframe）とノーマルサブフレーム（Normal Subframe）のうちの１つ、あるいは２つともの各サブフレーム（subframe）構造で、一定周期で既存の参照信号（ＲＳ：Reference Signal）と制御チャンネルのための領域（Control Region）を除いた残りの資源割当領域であるデータ領域（Date Region）を空けて置き、そのサブフレームでの空いて置いた領域にポジショニングのための参照信号（Reference Signal for Positioning）を送る方式が考慮されている。即ち、ＯＦＤＭ基盤の新たな次世代の通信方式であるＬＴＥでのポジショニング（Positioning）のために、既存ＷＣＤＭＡでのＯＴＤＯＡ方式を基盤とするが、多重化（Multiplexing）方式と接続（Access）方式など、通信基盤が変わることによって、新たな資源割当構造でポジショニングのための参照信号を送る方法と参照信号の構成をまた考慮しなければならず、またＵＥの移動速度の上昇、基地局間の干渉（Interference）環境の変化と複雑性の増大など、通信システムが発展するにつれて、より正確なポジショニング方法が要求されている。
【００２０】
本発明の一実施形態は、モジューラーソナーシーケンスを用いて位置基準信号パターンを生成する方法を提供する。
【００２１】
上記の目的を達成するために、無線通信システムにおけるユーザ装置の位置を測定するための位置参照信号パターンを生成する方法において、決まったモジューラーソナーシーケンスのサイズＭとＮに対し、第１のＭ×Ｎモジューラーソナーシーケンスを生成するステップ、上記生成された第１のＭ×Ｎモジューラーソナーシーケンスをシステムに特化した情報によって第２のＭ×Ｎモジューラーソナーシーケンスに変換するステップ、及び上記生成された第２のＭ×Ｎモジューラーソナーシーケンスから位置参照信号パターンを形成して位置参照信号をマッピングするステップを含む位置参照信号パターン生成方法を提供する。
【００２２】
本発明の他の実施形態によれば、無線通信システムにおけるユーザ装置の位置を測定するための位置参照信号パターンを生成する方法において、決まったモジューラーソナーシーケンスのサイズＭとＮに対し、第１のＭ×Ｎモジューラーソナーシーケンスを生成するステップ、上記生成された長さＮを有する第１のＭ×Ｎモジューラーソナーシーケンスの端Ｎ′だけを切って第１のＭ×（Ｎ−Ｎ′）モジューラーソナーシーケンスを生成するステップ、上記生成された第１のＭ×（Ｎ−Ｎ′）モジューラーソナーシーケンスをシステムに特化した情報によって第２のＭ×（Ｎ−Ｎ′）モジューラーソナーシーケンスに変換するステップ、及び上記生成された第２のＭ×（Ｎ−Ｎ′）モジューラーソナーシーケンスから位置参照信号パターンを形成して位置参照信号をマッピングするステップを含む位置参照信号パターン生成方法を提供する。
【００２３】
本発明の更に他の実施形態によれば、無線通信システムにおけるユーザ装置の位置を測定するための位置参照信号パターンを生成する方法において、決まったモジューラーソナーシーケンスのサイズＭとＮに対し、第１のＭ×Ｎモジューラーソナーシーケンスを生成するステップ、上記生成された第１のＭ×Ｎモジューラーソナーシーケンスをシステムに特化した情報によって第２のＭ×Ｎモジューラーソナーシーケンスに変換するステップ、上記生成された長さＮを有する第２のＭ×Ｎモジューラーソナーシーケンスの端Ｎ′だけを切って第２のＭ×（Ｎ−Ｎ′）モジューラーソナーシーケンスを生成するステップ、及び上記生成された第２のＭ×（Ｎ−Ｎ′）モジューラーソナーシーケンスから位置参照信号パターンを形成して位置参照信号をマッピングするステップを含む位置参照信号パターン生成方法を提供する。
【００２４】
本発明の更に他の実施形態によれば、無線通信システムにおけるユーザ装置の位置を測定するための位置参照信号パターン生成装置において、決まったモジューラーソナーシーケンスのサイズＭとＮに対し、第１のＭ×Ｎモジューラーソナーシーケンスを生成し、生成された第１のＭ×Ｎモジューラーソナーシーケンスをシステムに特化した情報によって第２のＭ×Ｎモジューラーソナーシーケンスに変換するＭ×Ｎモジューラーソナーシーケンス生成部、及び上記Ｍ×Ｎモジューラーソナーシーケンス生成部を通じて生成された第２のＭ×Ｎモジューラーソナーシーケンスから位置参照信号パターンを形成して位置参照信号をマッピングする位置参照信号マッピング部を含む位置参照信号パターン生成装置を提供する。
【００２５】
本発明の更に他の実施形態によれば、無線通信システムにおけるユーザ装置の位置を測定するための位置参照信号パターン生成装置において、決まったモジューラーソナーシーケンスのサイズＭとＮに対し、第１のＭ×Ｎモジューラーソナーシーケンスを生成するＭ×Ｎモジューラーソナーシーケンス生成部、上記Ｍ×Ｎモジューラーソナーシーケンス生成部を通じて生成された長さＮを有する第１のＭ×Ｎモジューラーソナーシーケンスの端Ｎ′だけ切って第１のＭ×（Ｎ−Ｎ′）モジューラーソナーシーケンスを生成し、生成された第１のＭ×（Ｎ−Ｎ′）モジューラーソナーシーケンスをシステムに特化した情報によって第２のＭ×（Ｎ−Ｎ′）モジューラーソナーシーケンスに変換するＭ×（Ｎ−Ｎ′）モジューラーソナーシーケンス生成部、及び上記Ｍ×（Ｎ−Ｎ′）モジューラーソナーシーケンス生成部を通じて生成された第２のＭ×（Ｎ−Ｎ′）モジューラーソナーシーケンスから位置参照信号パターンを形成して位置参照信号をマッピングする位置参照信号マッピング部を含む位置参照信号パターン生成装置を提供する。
【００２６】
本発明の更に他の実施形態によれば、無線通信システムにおけるユーザ装置の位置を測定するための位置参照信号パターン生成装置において、決まったモジューラーソナーシーケンスのサイズＭとＮに対し、第１のＭ×Ｎモジューラーソナーシーケンスを生成するＭ×Ｎモジューラーソナーシーケンス生成部、上記Ｍ×Ｎモジューラーソナーシーケンス生成部を通じて生成された第１のＭ×Ｎモジューラーソナーシーケンスをシステムに特化した情報によって第２のＭ×Ｎモジューラーソナーシーケンスに変換し、変換された長さＮを有する第２のＭ×Ｎモジューラーソナーシーケンスの端Ｎ′だけを切って第２のＭ×（Ｎ−Ｎ′）モジューラーソナーシーケンスを生成するＭ×（Ｎ−Ｎ′）モジューラーソナーシーケンス生成部、及び上記Ｍ×（Ｎ−Ｎ′）モジューラーソナーシーケンス生成部を通じて生成された第２のＭ×（Ｎ−Ｎ′）モジューラーソナーシーケンスから位置参照信号パターンを形成して位置参照信号をマッピングする位置参照信号マッピング部を含む位置参照信号パターン生成装置を提供する。
【００２７】
具体的に、本発明はＯＦＤＭ基盤の無線移動通信システムにおけるＵＥの位置をポジショニング（Positioning）のため参照信号（Reference Signal、あるいはパイロット）を通じてＯＴＤＯＡ（Observed Time Difference of Arrival）方法により把握するに当たって、既存の非同期式ＣＤＭＡを基盤にしたＷＣＤＭＡ方式におけるＯＦＤＭ基盤の多重化（Multiplexing）方式と接続（Access）方式など、通信基盤が変わることによる新たな資源割当構造において、ポジショニングのための参照信号（Reference Signal for Positioning：ＰＲＳ）を構成する効果的な方法を提供する。特に、ＵＥの移動速度の上昇、基地局間の干渉（Interference）環境の変化と複雑性の増大など、通信システムの発展により要求されるより正確なポジショニング（Positioning）方法のために、セルに特化した、区別可能な個数と性能面に優れる位置参照信号（Positioning Reference Signal：ＰＲＳ）のパターン（Pattern）を提供する。
【００２８】
ここに、本発明ではモジューラーソナーシーケンス（Modular Sonar Sequence）を基盤にして上記の要求に従う位置参照信号を生成する方法を考慮する。
【００２９】
まず、本明細書で記述するモジューラーソナーシーケンスを説明すれば、次の通りである。
【００３０】
整数ｍ、ｎに対し、Ｍ＝｛１、２、．．．、ｍ｝であり、Ｎ＝｛１、２、．．．、ｎ｝とし（この際、Ｍは整数をモジューロ（modulo）ｍした値で表現される集合である）、１≦ｈ≦ｎ−１、１≦ｉ、ｊ≦ｎ−ｈの全ての整数ｈ、ｉ、及びｊに対し、ｆ（ｉ＋ｈ）−ｆ（ｉ）＝ｆ（ｊ＋ｈ）−ｆ（ｊ）（ｍｏｄ ｍ）であれば、ｉ＝ｊの場合、関数ｆ：Ｎ→Ｍはモジューラーにより互いに区別される差異特性（以下、distinct modular differences property）を有する。
【００３１】
この際、Ｍ×Ｎモジューラーソナーシーケンス（Modular Sonar sequence）は、「distinct modular differences property」を有するｆ：Ｎ→Ｍ関数である。
【００３２】
例えば、シーケンス｛１、３、７、４、９、８、６、２、５、１１（＝０）｝は、モジューラーが１１である１１×１０モジューラーソナーシーケンスになることができる。
【００３３】
モジューラーソナーシーケンスは、多様な生成方法が存在する。下記の＜表１＞はいままで知られたモジューラーソナーシーケンスの全ての生成方法をシーケンスの長さ（length）、範囲（Range）、モジューロ（Modulo）値に要約して表した表である。各方法でのモジューラーソナーシーケンスの具体的な生成方法は、下記の生成方法−Ａから生成方法−Ｇの通りである。
【表１】
2012523736.tif 000003
【００３４】
１）生成方法−Ａ（クォドラティック（Quadratic））：ｐは奇数の素数（prime）であり、ａ、ｂ、ｃはmodular pをした場合、０でない整数定数とする時、ｆ（ｉ）＝ａｉ２＋ｂｉ＋ｃ（ｍｏｄ  ｐ）に定義されるｆ：｛１、２、．．．、ｐ＋１｝→｛１、２、．．．、ｐ｝はｐ×（ｐ＋１）モジューラーソナーシーケンスである。
【００３５】
２）生成方法−Ｂ（エクスポテンシャルウェルチ（Exponential Welch））：ａは素数ｐに対し、モジューラー原始元（primitive element modular the prime p）である時、ｆ（ｉ）＝ａｉに定義されるｆ：｛１、２、．．．、ｐ−１｝→｛１、２、．．．、ｐ｝はｐ×（ｐ−１）モジューラーソナーシーケンスである。
【００３６】
３）生成方法―Ｃ（ロガリズミックウェルチ（Logarithmic Welch））：ａは素数ｐに対し、モジューラー原始元（primitive element modular the prime p）である時、ｆ（ｉ）＝ｌｏｇａｉに定義されるｆ：｛１、２、．．．、ｐ−１｝→｛１、２、．．．、ｐ−１｝は（ｐ−１）×（ｐ−１）モジューラーソナーシーケンスである。
【００３７】
４）生成方法−Ｄ（レンペル（Lempel））：ｑ＝ｐｒ＞２は素数の乗数（prime power）であり、ａはＧＦ（ｐｒ）上で原始元（primitive element）である時、ｆ（ｉ）＝ｊとａｉ＋ａｊ＝１の必要充分條件に定義されるｆ：｛１、２、．．．、ｐｒ−２｝→｛１、２、．．．、ｐｒ−１｝は（ｐｒ−１）×（ｐｒ−２）モジューラーソナーシーケンスである。
【００３８】
５）生成方法−Ｅ（ゴロム（Golomb））：ｑ＝ｐｒ＞２は素数の乗数（prime power）であり、ａとｂはＧＦ（ｐｒ）上で原始元（primitive element）である時、ｆ（ｉ）＝ｊとａｉ＋ｂｊ＝１の必要充分條件に定義されるｆ：｛１、２、．．．、ｐｒ−２｝→｛１、２、．．．、ｐｒ−１｝は（ｐｒ−１）×（ｐｒ−２）モジューラーソナーシーケンスである。
【００３９】
６）生成方法−Ｆ（拡張されたエクスポテンシャルウェルチ（Extended  exponential  Welch））：ａは素数ｐに対し、モジューラー原始元（primitive element modular the prime p）であり、ｓは整数である時、ｆ（ｉ）＝ａｉ＋ｓに定義されるｆ：｛０、１、２、．．．、ｐ−１｝→｛１、２、．．．、ｐ｝は、ｐ×ｐモジューラーソナーシーケンスである。
【００４０】
７）生成方法−Ｇ（シフトシーケンス（Shift sequence））：ｐは素数（prime）であり、ａはＧＦ（ｐ２ｒ）、ｂはＧＦ（ｐｒ）上で原始元（primitive element）とする。この際、ｐが２であれば、ｆ（ｉ）＝ｌｏｇｂ（（ａｉ）ｐ＾ｒ＋ａｉ；ｂｆ（ｉ）＝（ａｉ）ｐ＾ｒ＋ａｉ＝Ｔｒ２ｒｒ（ａｉ）に定義されるｆ：｛１、２、．．．、ｐｒ｝→｛１、２、．．．、ｐｒ−１｝、ｐが奇数であれば、関数ｆは上記ｐが２である時と類似するように定義されながらｉの範囲のみ｛ｉ：−（ｐｒ−１）／２≦ｉ≦（ｐｒ−１）／２｝であるｆは（ｐｒ−１）×ｐｒモジューラーソナーシーケンスである。
【００４１】
上記に例示したシーケンス｛１、３、７、４、９、８、６、２、５、１１｝は、シーケンス｛２、４、８、５、１０、９、７、３、６、１｝を−１だけ循環シフト（Cyclic  Shift）した値であり、上記１１×１０モジューラーソナーシーケンス｛２、４、８、５、１０、９、７、３、６、１｝は、＜表１＞のExponential Welch方法（具体的な生成方法は上記の生成方法−Ｂ（Exponential Welch）で、ａが２の場合から導出することができる）により構成できる。上記＜表１＞に表すように、モジューラーＭは素数（prime）値である１１であり、長さ（Length）Ｎは１１−１である１０である。
【００４２】
Ｍ×Ｎモジューラーソナーシーケンスは、３つの変換（transformations）により互いに異なるＭ×Ｎモジューラーソナーシーケンスに変換できる。
【００４３】
第１は、本来の生成されたＭ×Ｎモジューラーソナーシーケンスをｆ（ｉ）、１≦ｉ≦Ｎ（あるいは、０≦ｉ≦Ｎ−１）とする時、モジューロｍに対し、ｆ（ｉ）にａを足すものである。これを式で表せば、次の＜数式１＞の通りである。
【数１】
2012523736.tif 000004
【００４４】
＜数式１＞は、モジューラーソナーアレイ（Modular Sonar array；Modular Sonar sequenceを行（row）／列（column）の２次元（two-dimension）で表示したもの）の行（row）がａ単位で循環（cyclic）ローテーションすることに該当する。これは、時間（time）／周波数（frequency）の２次元パターン（two-dimensional pattern）において、シーケンスパターンの周波数（frequency）側面への全ての循環（cyclic）シフト（shift）と１対１対応をなす。
【００４５】
第２は、本来の生成されたＭ×Ｎモジューラーソナーシーケンスをｆ（ｉ）、１≦ｉ≦Ｎ（あるいは、０≦ｉ≦Ｎ−１）とする時、モジューロｍに対し、ｆ（ｉ）にｕを掛けるものである。これを式で表すと、次の＜数式２＞の通りである。
【数２】
2012523736.tif 000005
【００４６】
＜数式２＞はモジューラーソナーアレイの行（row）の順列変換（permutation）に該当する。これは、ａ＝０の場合、時間（time）／周波数（frequency）の２次元パターンにおいて、シーケンスパターンの時間（time）側面への全ての循環（cyclic）シフト（shift）と１対１対応をなす。
【００４７】
第３は、本来の生成されたＭ×Ｎモジューラーソナーシーケンスをｆ（ｉ）、１≦ｉ≦Ｎ（あるいは、０≦ｉ≦Ｎ−１）とする時、モジューロｍに対し、ｆ（ｉ）をｓ単位で切り出し（shearing）を行なうものである。これを式で表すと、次の＜数式３＞の通りである。
【数３】
2012523736.tif 000006
【００４８】
＜数式３＞は、モジューラーソナーアレイの列（column）をｓ単位で切り出し（shearing）したものに該当する。
【００４９】
総合すれば、関数ｆがＭ×Ｎモジューラーソナーシーケンスであり、ｕはモジューラー（modular）ｍの単位（unit）であれば、ｇは次の＜数式４＞のように定義することができ、この際、ｇもＭ×Ｎモジューラーソナーシーケンスに該当する。
【数４】
2012523736.tif 000007
【００５０】
本発明は、モジューラーソナーシーケンス（Modular Sonar sequence）を用いて位置参照信号（ＰＲＳ：Positioning Reference Signal）のパターン（pattern）を形成する。
【００５１】
上記本発明の一実施形態の一態様（第１の態様）でのモジューラーソナーシーケンスを用いて位置参照信号（ＰＲＳ）のパターン（pattern）を形成する方法は、次の通りである。
ａ．サブフレーム（subframe）毎に（例えば、MBSFN subframe、Normal subframe with Normal CP、Normal subframe with Extended CP）、時間（time；ＯＦＤＭ構造上でのシンボル（symbol））軸、及び周波数（frequency；ＯＦＤＭ構造上でのサブキャリア軸に２次元（two-dimensional）をなす１つのサブフレーム構造（subframe structure）において、位置参照信号（ＰＲＳ：Positioning Reference Signal）のために使用可能（available）な行と列の個数を考慮して、＜表１＞で組合可能なＭとＮのうち、使用可能（available）な行と列を最も多く利用できる組合からＭとＮを決定する。
ｂ．選択されたＭとＮに基づいて、＜表１＞で言及された構成（construction）方法によりＭ×Ｎモジューラーソナーシーケンス（Modular Sonar sequence）を生成する。
ｃ．生成されたモジューラーソナーシーケンス（Modular Sonar sequence）によって時間（time；ＯＦＤＭ構造上でのシンボル（symbol））軸、及び周波数（frequency；ＯＦＤＭ構造上でのサブキャリア（subcarrier））軸に２次元（two-dimensional）をなす１つのサブフレーム構造（subframe structure）において、位置参照信号（ＰＲＳ：Positioning Reference Signal）を位置参照信号のために使用可能（available）な行と列にマッピングする。
例えば、生成されたＭ×Ｎシーケンスが｛ａ、ｂ、ｃ、．．．、ｊ、．．．｝の場合、｛（ｘ、ｙ）｜（ｘ＿１、ｙ＿１）＝（１、ａ）、（ｘ＿２、ｙ＿２）＝（２、ｂ）、（ｘ＿３、ｙ＿３）＝（３、ｃ）、．．．、（ｘ＿ｉ、ｙ＿ｉ）＝（ｉ、ｊ）、．．．｝として、ｘ（あるいは、ｙ）番目の使用可能（available）な列（symbol軸）とｙ（あるいは、ｘ）番目の使用可能（available）な行（subcarrier軸）とが交差する地点に、位置参照信号（ＰＲＳ：Positioning Reference Signal）のｉ番目のシーケンス値がマッピングされるものである。言い換えると、生成されたＭ×Ｎモジューラーソナーシーケンス（Modular Sonar sequence）のｉ番目のシーケンス値がｆ（ｉ）＝ｊであれば、ｉ番目の使用可能（available）な列（symbol軸）とｆ（ｉ）番目の使用可能（available）な行（subcarrier軸）とが交差する地点に、あるいはｆ（ｉ）番目の使用可能（available）な列（symbol軸）とｉ番目の使用可能（available）な行（subcarrier軸）とが交差する地点に、上記サブフレームのための位置参照信号（ＰＲＳ：Positioning Reference Signal）のｉ番目のシーケンス値がマッピングされる。
ｄ．基地局（Base Station、あるいはセル（Cell））、または中継ノード（Relay Node）、またはＵＥ（User Equipment、あるいはＭＳ（Mobile Station））毎に必要な他の位置参照信号（ＰＲＳ：Positioning Reference Signal）のシーケンスパターン（Sequence pattern）を下記のような方法により生成する。
【００５２】
＜表１＞の一方法により生成されたＭ×Ｎモジューラーソナーシーケンス（Modular Sonar sequence）をｆ（ｉ）、１≦ｉ≦Ｎ（あるいは、０≦ｉ≦Ｎ−１）とすると、下記の３つに変形可能である。
−Addition by a modulo m、f+a（i）=f（i）+a（mod m）
−Multiplication by a unit u modulo m、f×u（i）=uf（i）（mod m）
−Shearing by s modulo m、fshear（s）（i）=f（i）+si（mod m）
【００５３】
上記の３つの変形である上記３つの関数を足してｇ（ｉ）＝ｕｆ（ｉ）＋ｓｉ＋ａ（ｍｏｄ ｍ）でｇ（ｉ）、１≦ｉ≦Ｎ（あるいは、０≦ｉ≦Ｎ−１）という新たなＭ×Ｎモジューラーソナーシーケンス（Modular Sonar sequence）を生成することができ、これを通じて互いに異なる位置参照信号（ＰＲＳ：Positioning Reference Signal）のシーケンスパターン（Sequence pattern）を生成することができる。
【００５４】
この際、ａ、ｕ、及びｓは基地局（Base Station、あるいはセル（Cell））、中継ノード（Relay Node）、ＵＥ（User Equipment、あるいはＭＳ（Mobile Station））または他の特化した情報（サブフレームナンバー（subframe Number）、ＣＰ（Cyclic Prefix）サイズ（size）等）に従う関数によって決まる。特に、基地局（Base Station、あるいはセル（Cell））情報によってｕ、ｓ、ａを決定できるということから、基地局（Base Station、あるいはセル（Cell））毎に互いに異なる特化した（Cell-specific）パターンを作ることができる。
【００５５】
上記のステップは、図１のような装置により実現できる。モジューラーソナーシーケンス（Modular Sonar sequence）を用いて位置参照信号（ＰＲＳ：Positioning Reference Signal）のパターン（pattern）を形成する本発明の装置は、大別してＭ×Ｎモジューラーソナーシーケンス（Modular Sonar sequence）生成部（Generator）１１０と、位置参照信号（ＰＲＳ：Positioning Reference Signal）マッピング部（Mapper）１２０とから構成される。Ｍ×Ｎモジューラーソナーシーケンス生成部１１０において、モジューラーソナーシーケンスのサイズ（size）Ｍ、Ｎはモジューラーソナーシーケンスサイズ（Ｍ、Ｎ）決定部１１２を通じて決定され、Ｍ×Ｎモジューラーソナーシーケンス生成部１１０で生成される各々のモジューラーソナーシーケンスは、システムに特化した情報（セルに特化した情報等）マッピング部１１４によって決まる互いに異なるパラメータ値によって基地局（セル）毎に互いに特化するように（Cell-specific）決まる。
【００５６】
具体的な各装置での動作は、次の通りである。モジューラーソナーシーケンスサイズ（Ｍ、Ｎ）決定部１１２は、上記モジューラーソナーシーケンス（Modular Sonar sequence）を用いて位置参照信号（ＰＲＳ：Positioning Reference Signal）のパターン（pattern）を形成する本発明の一実施形態の一態様での方法において、ステップａに該当する役割を果たす。即ち、サブフレーム（subframe）毎に、時間軸及び周波数軸で２次元をなす１つのサブフレーム構造で、位置参照信号のために使用可能（available）な行と列の個数を計算し、＜表１＞で組合可能なＭとＮのうち、使用可能（available）な行と列を最も多く利用できる組合を計算して、これからＭとＮを決定する。Ｍ×Ｎモジューラーソナーシーケンス生成部１１０は、モジューラーソナーシーケンスサイズ（Ｍ、Ｎ）決定部１１２を通じて決まったＭとＮに基づいて、＜表１＞で言及された構成（construction）方法によりＭ×Ｎモジューラーソナーシーケンスｆ（ｉ）、１≦ｉ≦Ｎ（あるいは、０≦ｉ≦Ｎ−１）を先に生成する。続けて、システムに特化した情報マッピング部１１４で、基地局（Base Station、あるいはセル（Cell））、中継ノード（Relay Node）、ＵＥ（User Equipment、あるいはＭＳ（Mobile Station））、または他の特化した情報（サブフレームナンバー（subframe Number）、ＣＰ（Cyclic Prefix）サイズ（size）等）に従う関数により決まる互いに異なるパラメータ値ａ、ｕ、及びｓを受けて、ｇ（ｉ）＝ｕｆ（ｉ）＋ｓｉ＋ａ（ｍｏｄ ｍ）でｇ（ｉ）、１≦ｉ≦Ｎ（あるいは、０≦ｉ≦Ｎ−１）というシステム（特に、基地局（セル））毎に互いに異なる特化した（Cell-specific）パターンで表現されるＭ×Ｎモジューラーソナーシーケンスを生成する。位置参照信号（ＰＲＳ）マッピング部１２０は、Ｍ×Ｎモジューラーソナーシーケンス生成部１１０を通じて生成されたＭ×Ｎモジューラーソナーシーケンスｇ（ｉ）、１≦ｉ≦Ｎ（あるいは、０≦ｉ≦Ｎ−１）によって時間（time；ＯＦＤＭ構造上でのシンボル（symbol））軸及び周波数（frequency；ＯＦＤＭ構造上でのサブキャリア（subcarrier））軸で２次元をなす１つのサブフレーム構造で位置参照信号（ＰＲＳ：Positioning Reference Signal）を位置参照信号のために使用可能（available）な行と列にマッピングする。即ち、生成されたＭ×Ｎモジューラーソナーシーケンス（Modular Sonar sequence）のｉ番目のシーケンス値がｇ（ｉ）＝ｊであれば、ｉ番目の使用可能（available）な列（symbol軸）とｇ（ｉ）番目の使用可能（available）な行（subcarrier軸）とが交差する地点に、あるいはｇ（ｉ）番目の使用可能（available）な列（symbol軸）とｉ番目の使用可能（available）な行（subcarrier軸）とが交差する地点に、上記サブフレームのための位置参照信号（ＰＲＳ：Positioning Reference Signal）のｉ番目のシーケンス値がマッピングされる。
【００５７】
本発明に係る位置参照信号（ＰＲＳ：Positioning Reference Signal）パターン生成方法は、柔軟な（flexible）パターンサイズ（pattern size）の生成が可能である。即ち、Ｍ×Ｎのシーケンスを生成するに当たって、多様なＭとＮを選択できるので、パターンサイズを柔軟に適用することができる。
【００５８】
モジューラーソナーシーケンスは、＜表１＞に表すように、パラメータＭとＮの多様なケースのため、多様な場合のケースに適用可能である。
【００５９】
例えば、ＭＢＳＦＮ（Multicast Broadcast Single Frequency Network）サブフレーム（subframe）の場合、制御領域（Control region）を除外すれば、１２サブキャリア（subcarrier）×１０シンボル（symbol）の未転送領域（no-transmission region）がある。ポジショニングのためのサブフレーム（subframe）に対し、上記２次元（two-dimensional）の未転送領域（no-transmission region）のサイズと＜表１＞に表すようなパラメータＭとＮの可能な場合を考慮すれば、ＭとＮの適用可能な値と使用可能（available）な周波数（サブキャリア）及び時間（シンボル）サイズが決まる。例えば、ＭＢＳＦＮサブフレームの場合、「Exponential Welch」方法による１１（サブキャリア）×１０（シンボル）、または「Shift Sequence」方法による１０（シンボル）×１１（サブキャリア）でサイズＭ×Ｎを決定し、これを通じてモジューラーソナーシーケンスを生成することができる。
【００６０】
仮に、＜表１＞の「Exponential Welch」方法により１１（サブキャリア）×１０（シンボル）が選択されると、モジューロ（Modulo）Ｍは１１であり、長さ（Length）Ｎは１０である。即ち、Ｍ＝１１は２次元の時間／周波数パターンのＭＢＳＦＮサブフレームで水平軸の全体１２個の周波数（サブキャリア）のうち、１１個の使用可能（available）な周波数（サブキャリア）水平軸に使われる。また、Ｎ＝１０はＭＢＳＦＮサブフレームで垂直軸の全体１０個の時間（シンボル）のうち、１０個の使用可能（available）な時間（シンボル）垂直軸に使われる。
【００６１】
Ｍ×Ｎのモジューラーソナーシーケンスは、ｇ（ｉ）＝ｕｆ（ｉ）＋ｓｉ＋ａ（ｍｏｄ ｍ）式によって非常に多様に区別される２次元のシーケンスパターンに拡張できる。
【００６２】
この際、上記で決まったＭ×Ｎのモジューラーソナーシーケンスは、ｇ（ｉ）＝ｕｆ（ｉ）＋ｓｉ＋ａ（ｍｏｄ ｍ）によりＭ×Ｍ×Φｃ（Ｍ）個の区別される位置参照信号（ＰＲＳ）パターンに拡張できる。
【００６３】
この際、Φｃ（Ｍ）は次の＜数式５＞を満たす。
【数５】
2012523736.tif 000008
ここで、ｇｃｄは最大公約数を意味する。
【００６４】
上記で決まったｇ（ｉ）、１≦ｉ≦Ｎ（あるいは、０≦ｉ≦Ｎ−１）をなす各々のパターンは「minimum ambiguity」を有する。即ち、本来の位置参照信号（ＰＲＳ）パターンを時間軸または／及び周波数軸に循環（cyclic）シフト（shift）（あるいは、システムの観点から見れば、時間または／及び周波数ディレイ（delay））しても重複するようになる（overlapping）位置参照信号（ＰＲＳ）シンボル（symbol；あるいは、ＰＲＳシーケンスシンボル（sequence symbol）、あるいはＰＲＳシーケンス要素（sequence element）、あるいはＯＦＤＭ基盤の資源割当構造から見れば、資源要素（resource element））の個数は最大（at most）１つであり（０個あるいは１つ）、追加に、より多い数の位置参照信号（ＰＲＳ）パターン（pattern）の種類の数、またはより高い再使用因子（Reuse factor）を有する位置参照信号（ＰＲＳ）パターン（pattern）を生成することができる。
【００６５】
上記本発明の一実施形態の他の態様（第２態様）でのモジューラーソナーシーケンスを用いて位置参照信号（ＰＲＳ）のパターン（pattern）を形成する方法は、次の通りである。
ａ．サブフレーム（subframe）毎に（例えば、MBSFN subframe、Normal subframe with Normal CP、Normal subframe with Extended CP）、時間（time；ＯＦＤＭ構造上でのシンボル（symbol））軸、及び周波数（frequency；ＯＦＤＭ構造上でのサブキャリア（subcarrier））軸で２次元（two-dimensional）をなす１つのサブフレーム構造（subframe structure）で位置参照信号（ＰＲＳ：Positioning Reference Signal）のために使用可能（available）な行と列の個数のうち、大きいもの１つのみを考慮して、その値をＭに決定する。
ｂ−１．選択されたＭに基づいて＜表１＞で言及された構成（construction）方法によりＭ×Ｎモジューラーソナーシーケンス（Modular Sonar sequence）を生成する。この際、Ｍ×ＮシーケンスでＭ＝Ｎの場合、即ち、Ｎ×Ｎの場合のモジューラーソナーシーケンスは、Ｎ×Ｎモジューラーソナーシーケンス（Modular Sonar sequence）で、かつＮ×Ｎモジューラー（Modular；あるいはperfect）コスタスアレイ（Costas Array）である。
ｂ−２．上記サブフレーム構造（subframe structure）で位置参照信号（ＰＲＳ：Positioning Reference Signal）のために使用可能（available）な行と列の個数のうち、大きいものの値をＭとし、小さいものの値を（Ｎ−Ｎ′）とする時、上記ｂ−１により生成された長さ（Length）がＮであるＭ×Ｎモジューラーソナーシーケンス（Modular Sonar sequence）で端Ｎ′だけを切ってくれる（truncate）ことによって、Ｍ×（Ｎ−Ｎ′）モジューラーソナーシーケンス（Modular Sonar sequence）を生成する。
ｃ／ｄ．上記本発明の一実施形態の一態様でのｃ／ｄステップと同一である。但し、一態様ではＭ×Ｎモジューラーソナーシーケンスが使われたならば、本態様ではＭ×（Ｎ−Ｎ′）モジューラーソナーシーケンスが使われる。この際、Ｍ×Ｎモジューラーソナーシーケンスからシステム毎に特化した（特に、基地局（セル）に特化した）Ｍ×（Ｎ−Ｎ′）モジューラーソナーシーケンスを作る方法は２つである。第１は、Ｍ×Ｎモジューラーソナーシーケンスで生成し、生成されたＭ×Ｎモジューラーソナーシーケンスをシステムに特化した情報によって変換した後、変換されたＭ×ＮモジューラーソナーシーケンスでＮ′を切ってＭ×（Ｎ−Ｎ′）モジューラーソナーシーケンスを作る方法である。第２は、Ｍ×Ｎモジューラーソナーシーケンスで生成し、先にＭ×ＮモジューラーソナーシーケンスでＮ′を切ってＭ×（Ｎ−Ｎ′）モジューラーソナーシーケンスを生成した後、生成されたＭ×Ｍ×（Ｎ−Ｎ′）モジューラーソナーシーケンスをシステムに特化した情報によってシステムに特化したＭ×Ｍ×（Ｎ−Ｎ′）モジューラーソナーシーケンスに変換させる方法である。
【００６６】
前述した本発明の一実施形態の他の態様（第２態様）での方法は、図９のような装置により実現できる。モジューラーソナーシーケンス（Modular Sonar sequence）を用いて位置参照信号（ＰＲＳ：Positioning Reference Signal）のパターン（pattern）を形成する本発明の更に他の装置は、大別してＭ×Ｎモジューラーソナーシーケンス（Modular Sonar sequence）生成部（Generator）６１０、Ｍ×（Ｎ−Ｎ′）モジューラーソナーシーケンス（Modular Sonar sequence）生成部（Generator）６２０と位置参照信号（ＰＲＳ：Positioning Reference Signal）マッピング部（Mapper）６３０から構成される。Ｍ×Ｎモジューラーソナーシーケンス生成部６１０において、モジューラーソナーシーケンスのサイズ（ｓｉｚｅ）ＭとＮは、モジューラーソナーシーケンスサイズ（Ｍ、Ｎ）決定部６１２を通じて決まる。Ｍ×Ｎモジューラーソナーシーケンス生成部６１０から生成されたＭ×Ｎモジューラーソナーシーケンス（Modular Sonar sequence）で端Ｎ′だけを切ってくれる（ｔｒｕｎｃａｔｅ）ことによって、Ｍ×（Ｎ−Ｎ′）モジューラーソナーシーケンス生成部６２０でＭ×（Ｎ−Ｎ′）モジューラーソナーシーケンス（Modular Sonar sequence）を生成する。この際、Ｍ×Ｎモジューラーソナーシーケンス（Modular Sonar sequence）をシステムに特化した情報（セルに特化した情報等）マッピング部６２２によって決まる互いに異なるパラメータ値によって基地局（セル）毎に互いに特化するように（Cell-specific）決定した後、変換されたＭ×Ｎモジューラーソナーシーケンス（Modular Sonar sequence）で端Ｎ′だけを切ってくれる（truncate）ことによって、Ｍ×（Ｎ−Ｎ′）モジューラーソナーシーケンスを生成することもでき、先に、Ｎ′だけを切ってくれた後、互いに異なるパラメータ値によって基地局（セル）毎に互いに特化するように（Cell-specific）決定することもできる。
【００６７】
具体的な各装置での動作は、次の通りである。モジューラーソナーシーケンスサイズ（Ｍ、Ｎ）決定部６１２は、上記１つのサブフレーム構造（subframe structure）で位置参照信号（ＰＲＳ：Positioning Reference Signal）のために使用可能（available）な行と列の個数のうち、大きいもの１つだけを計算し、その値をＭと決定する。Ｍ×Ｎモジューラーソナーシーケンス生成部６１０では、選択されたＭに基づいて＜表１＞で言及した構成（construction）方法によりＭ×Ｎモジューラーソナーシーケンス（Modular Sonar sequence）を生成する。Ｍ×（Ｎ−Ｎ′）モジューラーソナーシーケンス生成部６２０では、先に上記サブフレーム構造（subframe structure）で位置参照信号（ＰＲＳ：Positioning Reference Signal）のために使用可能（available）な行と列の個数のうち、大きいものの値をＭとし、小さいものの値を（Ｎ−Ｎ′）とする時、上記Ｍ×Ｎモジューラーソナーシーケンス生成部６１０により生成された長さ（Length）がＮであるＭ×Ｎモジューラーソナーシーケンス（Modular Sonar sequence）で端Ｎ′だけを切ってくれる（truncate）ことによって、Ｍ×（Ｎ−Ｎ′）モジューラーソナーシーケンス（Modular Sonar sequence）を生成する。この際、言及したように、Ｍ×Ｎモジューラーソナーシーケンス（Modular Sonar sequence）をシステムに特化した情報（セルに特化した情報等）マッピング部６２２によって決まる互いに異なるパラメータ値によって基地局（セル）毎に互いに特化するように（Cell-specific）決定した後、変換されたＭ×Ｎモジューラーソナーシーケンス（Modular Sonar sequence）で端Ｎ′だけを切ってくれる（truncate）ことによって、Ｍ×（Ｎ−Ｎ′）モジューラーソナーシーケンスを生成することもでき、まずＮ′だけを切ってくれた後、互いに異なるパラメータ値によって基地局（セル）毎に互いに特化するように（Cell-specific）決定することもできる。この際、システムに特化した情報マッピング部６２２で、基地局（Base Station、あるいはセル（Cell））、中継ノード（Relay Node）、ＵＥ（User Equipment、あるいはＭＳ（Mobile Station））、または他の特化した情報（サブフレームナンバー（subframe Number）、ＣＰ（Cyclic Prefix）サイズ（size）等）に従う関数で決まる互いに異なるパラメータ値ａ、ｕ、及びｓを受けて、ｇ（ｉ）＝ｕｆ（ｉ）＋ｓｉ＋ａ（ｍｏｄ ｍ）でｇ（ｉ）、１≦ｉ≦Ｎ−Ｎ′（あるいは、０≦ｉ≦（Ｎ−Ｎ′）−１）というシステム、特に基地局毎に互いに異なる特化した（Cell-specific）パターンで表現されるモジューラーソナーシーケンスを生成する。位置参照信号（ＰＲＳ）マッピング部６２０は、Ｍ×（Ｎ−Ｎ′）モジューラーソナーシーケンス生成部６２０を通じて生成されたＭ×（Ｎ−Ｎ′）モジューラーソナーシーケンスｇ（ｉ）、１≦ｉ≦Ｎ−Ｎ′（あるいは、０≦ｉ≦（Ｎ−Ｎ′）−１）によって時間（time；ＯＦＤＭ構造上でのシンボル（symbol））軸及び周波数（frequency；ＯＦＤＭ構造上でのサブキャリア（subcarrier））軸で２次元をなす１つのサブフレーム構造で、位置参照信号（ＰＲＳ：Positioning Reference Signal）を位置参照信号のために使用可能（available）な行と列にマッピングする。即ち、生成されたＭ×（Ｎ−Ｎ′）モジューラーソナーシーケンス（Modular Sonar sequence）のｉ番目のシーケンス値がｇ（ｉ）＝ｊであれば、ｉ番目の使用可能（available）な列（symbol軸）とｇ（ｉ）番目の使用可能（available）な行（subcarrier軸）とが交差する地点に、あるいはｇ（ｉ）番目の使用可能（available）な列（symbol軸）とｉ番目の使用可能（available）な行（subcarrier軸）とが交差する地点に上記サブフレームのための位置参照信号（ＰＲＳ：Positioning Reference Signal）のｉ番目のシーケンス値がマッピングされる。
【００６８】
上記本発明の一実施形態の一態様（第１態様）でのＭ×Ｎモジューラーソナーシーケンスを用いて位置参照信号（ＰＲＳ）のパターン（pattern）を形成する方法（あるいは、装置）において、Ｍ×Ｎのモジューラーソナーシーケンスはｇ（ｉ）＝ｕｆ（ｉ）＋ｓｉ＋ａ（ｍｏｄ ｍ）によってＭ×Ｍ×Φｃ（Ｍ）個の区別される位置参照信号（ＰＲＳ）パターンに拡張されることができ、この際、ａ、ｕ、及びｓは、システム情報、特に基地局（Base Station、あるいはセル（Cell））情報によって決まることによって、基地局（セル）毎に互いに異なる特化した（Cell-specific）パターンを作ることができる。この際、区分しなければならない特化した情報の種類の数より本発明の一態様に従う方法（あるいは、装置）により生成されたＭ×Ｍ×Φｃ（Ｍ）個の位置参照信号（ＰＲＳ）のパターンの種類の数が格段に多くて全て使用する必要はない場合、次のような方法（あるいは、装置）により上記本発明の一態様に従う方法（あるいは、装置）は変形できる。
【００６９】
2012523736.tif 000009
【数６】
2012523736.tif 000010
【００７０】
第２の方法（あるいは、装置）は、Ｍ×ＮモジューラーソナーシーケンスによるＭ×Ｍ×Φｃ（Ｍ）個のパターンのうち、全く重ならないパターンのみで位置参照信号（ＰＲＳ）パターンを構成し、そのパターンとシステムに特化（特に、基地局（セル）に特化（Cell-specific））した情報の間の１：１対応表（Table）を通じてシステム（特に、基地局（セル））毎に特化した位置参照信号（ＰＲＳ）パターンを生成する。例えば、Ｍ×Ｍ×Φｃ（Ｍ）個の位置参照信号（ＰＲＳ）パターンを生成すれば、これらパターンのちの一部は全く重ならず（０個のoverlapping）、残りのパターンは１つが重なるようになるが（１つのoverlapping）、このうち、全く重ならないパターンの個数をＸ個とすれば、最大Ｘ個のパターンとＸ個の基地局番号（Cell_ID）の間の１：１対応表（Table）を作って、これを通じて最大Ｘ箇所の基地局（セル）に特化（Cell-specific）した位置参照信号（ＰＲＳ）パターンを構成することができる。
【００７１】
前述したＭ×Ｎモジューラーソナーシーケンスを用いて位置参照信号（ＰＲＳ）のパターン（pattern）を形成する本発明の一実施形態の一態様での方法（あるいは、装置）において、互いに異なるシステムに特化（特に、基地局（セル）に特化（Cell-specific））した位置参照信号（ＰＲＳ）パターンを生成するステップの２つの変形は同一な方式によりＭ×（Ｎ−Ｎ′）モジューラーソナーシーケンスを用いて位置参照信号（ＰＲＳ）のパターン（pattern）を形成する上記本発明の他の態様での方法（あるいは、装置）でも同一に適用できる。
【００７２】
上記本発明の一実施形態の更に他の態様（第３態様）でのモジューラーソナーシーケンスを用いて位置参照信号（ＰＲＳ）のパターン（pattern）を形成する方法では、使用可能なタイム（シンボル）軸の個数を先に求めて（これを、ＭあるいはＮとし）、これに基づいて＜表１＞で組合せ可能な最大サイズのＭ×Ｎモジューラーソナーシーケンスを生成することができる。ＭＢＳＦＮサブフレームを例に挙げれば、使用可能（available）なタイム（シンボル）軸の個数は１０個であるので、したがって１１×１０モジューラーソナーシーケンスを生成可能である。
【００７３】
これを通じて使用可能（available）な周波数（サブキャリア）軸の最大個数を求めることができる。ＭＢＳＦＮの場合であれば、１１である。これを総周波数（サブキャリア）軸の個数と見て、この数を周期でマッピングすることができる。即ち、本発明の一実施形態の一態様と他の態様（第２態様）では、周波数軸で１２個のサブキャリア毎に上記の位置参照信号（ＰＲＳ）のパターンが繰り返されたならば（具体的に、１２個のサブキャリアを周期にして１１個のサブキャリアを使用）、本発明の更に他の態様（第３態様）では、１１個のサブキャリア毎に位置参照信号（ＰＲＳ）のパターンが繰り返される。即ち、１１個のサブキャリアを周期にして１１個のサブキャリアを使用するものである。
【００７４】
以下、本発明の一実施形態の一態様でのＭ×Ｎモジューラーソナーシーケンスを用いて位置参照信号（ＰＲＳ）のパターン（pattern）を形成する好ましい実施形態を添付した図２から図８を通じて詳細に説明する。
【００７５】
図２、図３、及び図４は、ＬＴＥ（Long Term Evolution）システムのＭＢＳＦＮ（Multicast Broadcast Single Frequency Network）サブフレーム（subframe）構造での実施形態を図示する。
【００７６】
図２を参照すると、時間（time；あるいは、シンボル（symbol）、または列（column））軸に１０個のシンボル（symbol）軸、周波数（frequency；あるいは、サブキャリア（subcarrier）、または行（row））軸に１２個のサブキャリア（subcarrier）軸のうち、使用可能（available）な列を１０個のシンボル、使用可能（available）な行を１１個サブキャリアにし、＜表１＞の「Exponential Welch」方法により１１×１０モジューラーソナーシーケンスを生成する。
【００７７】
これを通じて生成されたシーケンスは｛２、４、８、５、１０、９、７、３、６、１｝であり、図２のような方式によりマッピングされる（図２では、図２に示すようなサブフレーム構造で最も下のサブキャリア軸を１番目のサブキャリア軸と見て、使用可能（available）な１番目の行（シンボル軸）と２番目のサブキャリア軸に該当する下から２番目のサブキャリア軸とが交差する地点に、１番目の位置参照信号（ＰＲＳ）信号パターンを形成したが、仮に、最も下のサブキャリア軸を０番目のサブキャリア軸と見る場合、使用可能（available）な１番目の行（シンボル軸）と２番目のサブキャリア軸に該当する下から３番目のサブキャリア軸とが交差する地点に、１番目の位置参照信号（ＰＲＳ）信号パターンが形成される。このような場合、全体位置参照信号（ＰＲＳ）信号パターンは、図２に示す信号パターンでサブキャリア（周波数）軸に１だけ上に循環シフト（Cyclic  Shift）された形態にマッピングされる）。図２では１２番目のサブキャリア軸を除いた１１個のサブキャリア軸が使用可能（available）な行に使われたし、使用可能（available）な行は１２個のうち、任意の１１個を選択可能である。
【００７８】
ｇ（ｉ）＝ｕｆ（ｉ）＋ｓｉ＋ａにより互いに異なる位置参照信号（ＰＲＳ）シーケンスパターンを生成して、システムに特化した情報（特に、基地局（セル）に特化した情報）毎に固有な位置参照信号（ＰＲＳ）パターンを生成することができる。また、簡単に時間軸／周波数軸に循環シフト（Cyclic Shift）して作ることもできる。
【００７９】
即ち、一例として、シーケンス｛１、３、７、４、９、８、６、２、５、１１｝は、上記シーケンス｛２、４、８、５、１０、９、７、３、６、１｝をｆ（ｉ）、１≦ｉ≦１０とする時、ｇ（ｉ）＝ｕｆ（ｉ）＋ｓｉ＋ａで、ｕ＝１、ｓ＝０、ａ＝１０（＝−１ ｍｏｄ １１）の時の場合であり、これは図３のような方式によりマッピングされる。
【００８０】
他の例として、シーケンス｛１、２、４、８、５、１０、９、７、３、６｝は、上記シーケンス｛２、４、８、５、１０、９、７、３、６、１｝を時間軸に１だけ循環シフト（Cyclic Shift）した場合であり、これは図４のような方式によりマッピングされる。
【００８１】
１１×１０のモジューラーソナーシーケンスの場合、１１×１１×１０＝１２１０個の固有なパターンの生成を期待することができる。この際、１２１０個だけの極めて多いパターンの種類の数を必要としない場合には、生成されたパターンを単にシステムに特化（特に、基地局（セル）に特化）した情報によって周波数（frequency）軸及び時間（time）軸に循環（cyclic）シフト（shift）してくれることで、１１×１０＝１１０個の互いに異なる位置参照信号（ＰＲＳ）パターンを生成することもできる。また、上記パターンのうち、全く重ならないパターンのみを選択して、そのパターンとシステムに特化（特に、基地局（セル）に特化）した情報間の１：１対応表（Table）を通じて各々システム（特に、基地局（セル））毎に特化した位置参照信号（ＰＲＳ）パターンを生成することもできる。
【００８２】
図５は、ＬＴＥ（Long Term Evolution）システムのノーマル（Normal）ＣＰ（Cyclic Prefix）を有するノーマルサブフレーム（Normal subframe）構造での実施形態を図示する。
【００８３】
図５を参照すると、ノーマル（Normal）ＣＰを有するノーマルサブフレーム（Normal subframe）では、制御領域（Control region）を除いた未転送領域（no-transmission region）は、１２（サブキャリア）×１２（シンボル）である。ＣＲＳのための追加の３個の時間（time）垂直（vertical；あるいは、列（column））軸を使用可能（available）でない（non-available）垂直（vertical；あるいは、列（column））軸と考慮する時、＜表１＞の「Lempel」方法、または「Golomb」方法による１０（サブキャリア）×９（シンボル）を実施形態として挙げることができる。図５のサブフレーム構造は、「Lempel」方法による１０（サブキャリア）×９（シンボル）の構造の例を図示する。「Lempel」方法による１０×９のモジューラーソナーシーケンス｛５、３、２、７、１、８、４、６、９｝は、図５のようにマッピングされる。この際、１０×１０×４の４００個の「minimum ambiguity」を有する区別されるパターンを生成することができる。時間（time；あるいは、シンボル（symbol）、または列（column））軸に１２個のシンボル（symbol）軸、周波数（frequency；あるいは、サブキャリア（subcarrier）、または行（row））軸に１２個のサブキャリアのうち、使用可能（available）な列を９個のシンボル、使用可能（available）な行を１０個のサブキャリアにし、１０×９（あるいは、９×１０）モジューラーシーケンスを生成したものである。
【００８４】
この際、全体１２個のサブキャリア軸のうち、任意の１０個のサブキャリア軸のみ選択してパターンを生成し、図５の実施形態では、ＣＲＳを含む４個の周波数（frequency）水平（horizontal）軸のうち、上位２個の軸を使用可能でない（non-available）周波数（frequency）水平（horizontal；あるいは、行（row））軸に選択した。
【００８５】
図６は、ＬＴＥ（Long Term Evolution）システムの拡張（Extended）ＣＰ（Cyclic Prefix）を有するノーマルサブフレーム（Normal subframe）構造での実施形態を図示する。
【００８６】
図６を参照すると、拡張（Extended）ＣＰを有するノーマルサブフレーム（Normal subframe）では、制御領域（Control region）を除いた未転送領域（no-transmission region）は、１２（サブキャリア）×１０（シンボル）である。ＣＲＳのための追加の３個の時間（time）垂直（vertical；あるいは、列（column））軸を使用可能でない（non-available）垂直（vertical；あるいは、列（column））軸と考慮する時、＜表１＞の「Lempel」方法、または「Golomb」方法による８（サブキャリア）×７（シンボル）、または「Quadratic」方法による７（シンボル）×８（サブキャリア）を実施形態として挙げることができる。図６のサブフレーム構造は、「Lempel」方法による８（サブキャリア）×７（シンボル）構造の例を図示する。「Lempel」方法による８×７のモジューラーソナーシーケンス｛２、１、６、４、７、３、５｝は、図６のようにマッピングされる。この際、８×８×４の２５６個の「minimum ambiguity」を有する区別されるパターンを生成することができる。時間（time；あるいは、シンボル（symbol）、または列（column））軸に１０個のシンボル（symbol）軸、周波数（frequency；あるいは、サブキャリア（subcarrier）、または行（row））軸に１２個のサブキャリアのうち、使用可能（available）な列を７個のシンボル、使用可能（available）な行を８個のサブキャリアにし、８×７（あるいは、７×８）モジューラーシーケンスを生成したものである。
【００８７】
この際、全体１２個のサブキャリア軸のうち、任意の８個のサブキャリア軸のみ選択してパターンを生成し、図６の実施形態ではＣＲＳを含む４個の周波数（frequency）水平（horizontal）軸を使用可能でない（non-available）周波数（frequency）水平（horizontal；あるいは、行（row））軸に選択した。
【００８８】
図７及び図８は、ＬＴＥ（Long Term Evolution）システムの拡張（Extended）ＣＰ（Cyclic Prefix）を有するノーマルサブフレーム（Normal subframe）構造での他の実施形態を図示する。
【００８９】
図７を参照すると、時間軸（列、symbol）に１０個のシンボル軸、周波数軸（行、subcarrier）に１２個のサブキャリア軸のうち、使用可能（available）な列を７個のシンボル軸、使用可能（available）な行を６×２＝１２個のサブキャリア軸にし、７×６モジューラーソナーシーケンス２個からこれを構成することができる。
【００９０】
７×６モジューラーソナーシーケンス２個を通じて１２個のサブキャリア軸を６個ずつ２個のグループに分けて、各々のグループに各々のシーケンスをマッピングする。図７構造の例の通り、初めの６個のサブキャリア軸を１つのグループに、残りの６個のサブキャリア軸を他のグループに構成することもでき、偶数番目（あるいは、奇数番目）のサブキャリア軸を１つのグループに、奇数番目（あるいは、偶数番目）のサブキャリア軸を他のグループに構成することもできる。
【００９１】
図８を参照すると、ＬＴＥ（Long Term Evolution）システムの拡張（Extended）ＣＰ（Cyclic Prefix）を有するノーマルサブフレーム（Normal subframe）構造での位置参照信号（ＰＲＳ）のパターンは、７（シンボル）×６（サブキャリア）のモジューラーソナーシーケンス２個から構成される。この際、「Lempel」方法による７×６シーケンス｛３、６、１、５、４、２｝及び「Golomb」方法による７×６シーケンス｛６、４、２、５、７、３｝が図８での実施形態として位置参照信号（ＰＲＳ）のパターンにマッピングされた。
【００９２】
この際、図８において、７（シンボル）×６（サブキャリア）モジューラーソナーシーケンスをマッピングする方法は、一般的なＭ（サブキャリア）×Ｎ（シンボル）モジューラーソナーシーケンスをマッピングする方法とは異なる。Ｍ（サブキャリア）×Ｎ（シンボル）モジューラーソナーシーケンスｇ（ｉ）、１≦ｉ≦Ｎ（あるいは、０≦ｉ≦Ｎ−１）の場合、Ｍ（サブキャリア）×Ｎ（シンボル）モジューラーソナーシーケンスのｉ番目のシーケンス値がｇ（ｉ）＝ｊであれば、ｉ番目の使用可能（available）な列（symbol軸）とｇ（ｉ）番目の使用可能（available）な行（subcarrier軸）とが交差する地点に、上記サブフレームのための位置参照信号（ＰＲＳ：Positioning Reference Signal）のｉ番目のシーケンス値がマッピングされる。しかしながら、図８で、７（シンボル）×６（サブキャリア）モジューラーソナーシーケンスのようにＭ（シンボル）×Ｎ（サブキャリア）モジューラーソナーシーケンスｇ（ｉ）、１≦ｉ≦Ｎ（あるいは、０≦ｉ≦Ｎ−１）の場合、ｇ（ｉ）番目の使用可能（available）な列（symbol軸）とｉ番目の使用可能（available）な行（subcarrier軸）とが交差する地点に、上記サブフレームのための位置参照信号（ＰＲＳ：Positioning Reference Signal）のｉ番目シーケンス値がマッピングされる。
【００９３】
以下、本発明の一実施形態の他の側面でのＭ×（Ｎ−Ｎ′）モジューラーソナーシーケンスを用いて位置参照信号（ＰＲＳ）のパターン（pattern）を形成する好ましい実施形態を添付した図７及び図８を参照しつつ詳細に説明する。
【００９４】
前述したように、Ｍ×Ｎモジューラーソナーシーケンスを生成する時、Ｍは使用可能（available）な周波数軸、あるいは時間軸のうち、最も大きいものを１つだけ考慮して位置参照信号（ＰＲＳ）パターンを生成することができる。ここでは、各考慮される１つのサブフレーム（subframe）構造で使用可能（available）な周波数軸が１２個のサブキャリア（subcarrier）であり、使用可能（available）なタイム軸が１０あるいは９個、７個のシンボル（symbol）であることを参照にして、Ｍを１２にし、これを通じて１２×Ｎモジューラーソナーシーケンスを生成することができる。この際、＜表１＞で可能なＮは「Logarithmic Welch」方法による１２、「Lempel」方法や「Golomb」方法による１１、「Shift sequence」方法による１３等である。即ち、生成されたモジューラー１２、長さが１２（あるいは、１１、１３）の１２×１２（あるいは、１２×１１、１２×１３）モジューラーソナーシーケンスで１２（あるいは、１１、１３）の長さを有するシーケンスの端Ｎ′だけを切ってくれる（truncate）ことができる。最終的に、Ｍ×（Ｎ−Ｎ′）モジューラーソナーシーケンスが生成される。例えば、最大１２個の使用可能（available）な周波数軸（サブキャリア軸）と１０個の使用可能（available）なタイム軸（シンボル軸）を有することができるＭＢＳＦＮサブフレームでは、１２（あるいは、１１、１３）の長さを有するシーケンスの端の２（あるいは、１、３）だけを切ってくれる（truncate）。最終的に、１２（周波数軸）×１０（タイム軸）モジューラーソナーシーケンスを生成する。同一な方法により、ノーマル（Normal）ＣＰ（Cyclic Prefix）を有するノーマルサブフレーム（Normal subframe）では、１２（あるいは、１１、１３）の長さを有するシーケンスの端３（あるいは、２、４）だけを切ってくれる（truncate）。最終的に、１２（周波数軸）×９（タイム軸）モジューラーソナーシーケンスを生成する。拡張（Extended）ＣＰ（Cyclic Prefix）を有するノーマルサブフレーム（Normal subframe）では、１２（周波数軸）×７（タイム軸）モジューラーソナーシーケンスを生成する。シーケンスの長さの端部を切っても、区別される「distinct modular differences property」はほぼ維持されるので、性能はほぼ同一である。しかしながら、最大に使用可能（available）な周波数軸を（上記の例では１２個）全て使用することができる長所がある。
【００９５】
例えば、「Logarithmic Welch」方法により１２×１２モジューラーソナーシーケンスを生成すれば、シーケンス｛１２（＝０）、１、４、２、９、５、１１、３、８、１０、７、６｝が生成される（図１０では、図１０に示すようなサブフレーム構造で最も下のサブキャリア軸を１番目のサブキャリア軸と見て、使用可能（available）な１番目の行（シンボル軸）と１２（＝０）番目のサブキャリア軸に該当する下から１２番目のサブキャリア軸とが交差する地点に、１番目の位置参照信号（ＰＲＳ）信号パターンを形成したが、仮に、最も下のサブキャリア軸を０番目のサブキャリア軸と見る場合、使用可能（available）な１番目の行（シンボル軸）と１２（＝０）番目のサブキャリア軸に該当する下から０番目のサブキャリア軸とが交差する地点に、１番目の位置参照信号（ＰＲＳ）信号パターンが形成される。このような場合、全体位置参照信号（ＰＲＳ）信号パターンは、図２に示す信号パターンからサブキャリア（周波数）軸に１だけ上に循環シフト（Cyclic Shift）した形態にマッピングされる）。
【００９６】
図１０は、ＬＴＥ（Long Term Evolution）システムのＭＢＳＦＮ（Multicast Broadcast Single Frequency Network）サブフレーム（subframe）構造での実施形態を図示する。
【００９７】
図１０を参照すると、シーケンスの最後の２個を切り出すことによって、１２×１０モジューラーソナーシーケンス｛１２（＝０）、１、４、２、９、５、１１、３、８、１０｝を生成してマッピングすることができる。
【００９８】
図１１は、ＬＴＥ（Long Term Evolution）システムのノーマル（Normal）ＣＰ（Cyclic Prefix）を有するノーマルサブフレーム（Normal subframe）構造での実施形態を図示する。
【００９９】
図１１を参照すると、シーケンスの最後の３個を切り出すことによって、１２×９モジューラーソナーシーケンス｛１２（＝０）、１、４、２、９、５、１１、３、８｝を生成してマッピングすることができる。
【０１００】
図１２は、ＬＴＥ（Long Term Evolution）システムの拡張（Extended）ＣＰ（Cyclic Prefix）を有するノーマルサブフレーム（Normal subframe）構造での実施形態を図示する。
【０１０１】
図１２を参照すると、シーケンスの最後の５個を切り出すことによって、１２×７モジューラーソナーシーケンス｛１２（＝０）、１、４、２、９、５、１１｝を生成して、マッピングすることができる。
【０１０２】
他の例として、「Lempel」方法により１２×１１モジューラーソナーシーケンスを生成すれば、シーケンス｛６、１０、５、７、３、１、４、９、８、２、１１｝が生成される。
【０１０３】
図１３は、ＬＴＥ（Long Term Evolution）システムのＭＢＳＦＮ（Multicast Broadcast Single Frequency Network）サブフレーム（subframe）構造での実施形態を図示する。
【０１０４】
図１３を参照すると、シーケンスの最後の１つを切り出すことによって、１２×１０モジューラーソナーシーケンス｛６、１０、５、７、３、１、４、９、８、２｝を生成してマッピングすることができる。
【０１０５】
図１４は、ＬＴＥ（Long Term Evolution）システムのノーマル（Normal）ＣＰ（Cyclic Prefix）を有するノーマルサブフレーム（Normal subframe）構造での実施形態を図示する。
【０１０６】
図１４を参照すると、シーケンスの最後の２個を切り出すことによって、１２×９モジューラーソナーシーケンス｛６、１０、５、７、３、１、４、９、８｝を生成してマッピングすることができる。
【０１０７】
図１５は、ＬＴＥ（Long Term Evolution）システムの拡張（Extended）ＣＰ（Cyclic Prefix）を有するノーマルサブフレーム（Normal subframe）構造での実施形態を図示する。
【０１０８】
図１５を参照すると、シーケンスの最後の４個を切り出すことによって、１２×７モジューラーソナーシーケンス｛６、１０、５、７、３、１、４｝を生成して、マッピングすることができる。
【０１０９】
この際、上記の実施形態で生成されたシーケンスの互いに異なるパターンを生成することは、前述したように、ｇ（ｉ）＝ｕｆ（ｉ）＋ｓｉ＋ａ（ｍｏｄ ｍ）を用いることもでき、生成されたパターンを時間／周波数軸に循環シフト（cyclic shift）したパターンのみを使用することもでき、上記２つの方法により生成されたパターンのうち、重複（overlapping）が０のパターンのみを選んで使用することもできる。
【０１１０】
また、上記の実施形態で生成されたモジューラーソナーシーケンスを時間軸と周波数軸に循環シフトしたパターンを使用する時、時間軸と周波数軸を全て循環シフトすることもできるが、時間軸と周波数軸のうちの１つは全体を循環シフトするが、他の１つは一部だけ循環することができる。後者の場合の一例として、周波数軸に全体を循環シフトするが、時間軸に１つまたは２個の時間軸のみを循環シフトして位置参照信号（ＰＲＳ）パターンを生成することができる。
【０１１１】
2012523736.tif 000011
【数７】
2012523736.tif 000012
2012523736.tif 000013
【０１１２】
ここで、上記で例示したように、時間軸と周波数軸を全て循環シフトすることもできるが、時間軸と周波数軸のうちの１つは全体を循環シフトするが、他の１つは一部のみ循環することができる。全体の周波数軸と２個の時間軸に循環シフトして位置参照信号（ＰＲＳ）パターンを生成した場合で、例えば１２×１２モジューラーソナーシーケンスをそのまま使用したり切断して使用したりする場合を例として説明する。この際、周波数軸に１２個と時間軸に２個の循環シフトが可能であるので、合計２４個のパターンを生成することができる。
【０１１３】
2012523736.tif 000014
【数８】
2012523736.tif 000015
2012523736.tif 000016
【０１１４】
全体の周波数軸と１つの時間軸、全体の周波数軸のみに循環シフトして位置参照信号（ＰＲＳ）パターンを生成した場合を１２×１２モジューラーソナーシーケンスをそのまま使用したり切断して使用したりする場合を例として説明する。この際、全体の周波数軸だけで循環シフトして位置参照信号（ＰＲＳ）パターンを生成するので、合計１２個のパターンを生成することができる。
【０１１５】
2012523736.tif 000017
【数９】
2012523736.tif 000018
2012523736.tif 000019
【０１１６】
上記の例において、Ｔは各々１４４、２４、１２、６であり、Ｔは区分しなければならないシステムに特化した情報の総数に該当する。仮に、システムに特化した情報を基地局（セル）ＩＤ、即ち、ＰＣＩ（Physical Cell Identity）とすれば、Ｔは全体基地局（セル）ＩＤをＴだけに該当するグループに分けたものになる。これを数式で表現すれば、下記の＜数式１０＞の通りであり、＜数式１０＞でＴは上記の各場合と同様に、各々１４４、２４、１２、６に該当する。
【数１０】
2012523736.tif 000020
【０１１７】
2012523736.tif 000021
【０１１８】
上記において、モジューラーソナーシーケンスを時間軸と周波数軸を全て循環シフトしたり、時間軸と周波数軸のうちの１つのみを全体循環シフトしたり、時間軸の一部及び／または周波数軸の一部のみを循環シフトして位置参照信号（ＰＲＳ）パターンを生成することと説明した。この際、モジューラーソナーシーケンスを用いて位置参照信号（ＰＲＳ）のパターンを形成する装置は、基本的に図１または図９に図示した装置に基本的な構成は同一で、かつ位置参照信号（ＰＲＳ）のパターンを前述した過程により形成するその機能のみが一部異なるだけである。したがって、これらを実現するための装置は、図１または図９に図示した装置の詳細な説明に代える。
【０１１９】
上記の実施形態において、Ｍ×Ｎモジューラーソナーシーケンスを位置参照信号（ＰＲＳ）パターン生成に使用することと説明したが、本発明は、Ｍ×Ｎモジューラーソナーシーケンスを位置参照信号（ＰＲＳ）の以外の他の参照信号、例えば周波数ドメインチャンネルの推定のために周波数ドメイングリッドの内に規則または不規則な間隔で挿入された特定の信号またはシンボルである参照信号（reference signal）、または参照シンボル（reference symbol）、パイロットシンボル（pilot symbol）に使用できる。例えば、アップリンク転送時、参照信号にＤＭ−ＲＳ（Demodulation RS）、ＳＲＳ（Sounding RS）などがある。ダウンリンク転送時、参照信号にＣＲＳ（Cell-specific RS）、ＭＢＳＦＮ ＲＳ、ＵＥ−特化したＲＳ、ユーザ装置（端末）で中心のセルまたは隣接するセルの空間チャンネル情報（Channel Spatial Information（ＣＳＩ））を獲得するために、基地局から転送する参照信号にＣＳＩ−ＲＳ（ＣＱＩ−ＲＳ）などのパターンを生成することに許容可能な範囲でＭ×Ｎモジューラーソナーシーケンスを用いることができる。勿論、現在または将来に新しく定義されたり定義が変更されたりした全ての参照信号にＭ×Ｎモジューラーソナーシーケンスを用いることができる。
【０１２０】
また、参照信号の以外に端末と基地局との間の無線通信過程で必要とされるチャンネルの推定、位置の推定、及び制御情報やスケジューリングのための情報の送受信などのために、端末あるいは基地局が特定の時間及び周波数帯域で規定して受け渡す全ての信号のパターンを形成することに使用可能である。この際、信号パターンは時間（time）及び周波数（frequency）の２次元ドメイン（2-dimentional domain）グリッド（gird）の内に規則または不規則な間隔で特定の信号またはシンボルを挿入する場合、この特定の信号が時間及び周波数の２次元領域で挿入される形態に該当する。
【０１２１】
上記の実施形態において、Ｍ×Ｎモジューラーソナーシーケンスを、位置参照信号（ＰＲＳ）を含む参照信号のパターン生成に使用することと説明したが、本発明は位置参照信号（ＰＲＳ）を含む参照信号のパターン生成に、前述したＭ×Ｎモジューラーソナーシーケンスと同一な特性を表す如何なるシーケンスのうちの１つ以上を用いて位置参照信号（ＰＲＳ）を含む参照信号のパターン生成に使用することができる。例えば、上記で例示した通り、Ｍ＝Ｎの場合のＮ×Ｎモジューラーソナーシーケンスは、Ｎ×Ｎモジューラー（Modular；あるいは、パーフェクト（perfect）で）コスタスアレイ（Costas Array）と同一な特性を表す。この場合、モジューラーソナーシーケンスは、モジューラーコスタスアレイを含むと見ることができる。
【０１２２】
一方、上記の実施形態において、１つのサブフレームで、１４４個、２４個、１２個、６個の位置参照信号（ＰＲＳ）パターンを生成する方法を説明したが、これらは例示に過ぎないものであり、１つのサブフレームの形態によって多様な個数の位置参照信号（ＰＲＳ）パターンを生成してＯＴＤＯＡ方式のポジショニング（Positioning）に使用できる。
【０１２３】
上記の実施形態において、１つのサブフレームを基準にしてモジューラーソナーシーケンスを用いてセル毎に特化した互いに異なるパターンを有し、位置参照信号（ＰＲＳ）パターンを生成する方法を説明した。ところが、サブフレームを含むフレーム（radio frame）で、１つ以上のサブフレームに前述したモジューラーソナーシーケンスを用いてセル毎に特化した特定の信号、例えば位置参照信号（ＰＲＳ）パターンを生成することができる。
【０１２４】
また、フレームの観点で、特定のフレーム周期にフレーム毎に特定の個数のサブフレームに前述したモジューラーソナーシーケンスを用いて、セル毎に特化した特定の信号、例えば位置参照信号（ＰＲＳ）パターンを生成することができる。
【０１２５】
以下、何フレーム周期で該当フレームに特定の個数のサブフレーム及びリソースブロックに前述したモジューラーソナーシーケンスを用いてセル毎に特化した特定の信号、例えば位置参照信号（ＰＲＳ）パターンを生成するかを詳細に説明する。
【０１２６】
図１６は、更に他の実施形態によって１つ以上のサブフレームに位置参照信号パターンが形成されたフレーム及びサブフレーム構造図である。
【０１２７】
図１６を参照すると、基本サブフレーム（subframe）構造で、ＯＴＤＯＡポジショニング（OTDOA positioning）のために、特定フレーム周期、例えば１６、３２、６４、１２８フレーム（radio frame）周期で１つ以上の位置参照信号サブフレーム（PRS subframe）を含むことができる。これは、全体サブフレームのうち、オーバーヘッド（overhead）を考慮して約０．１％〜１％のサブフレームのみをＯＴＤＯＡポジショニング（OTDOA positioning）のために使用することができる。例えば、３２フレーム（32 radio frame）周期でする場合、合計３２０個のサブフレーム（1 radio subframe＝10 subframe）周期で位置参照信号（ＰＲＳ）のためのサブフレームを含み、３２０個のうちの初めの１つ、あるいは２個ぐらい、６４フレーム（64 radio frame）周期にする場合、合計６４０個のサブフレーム周期で位置参照信号（ＰＲＳ）のためのサブフレームを含み、初めの４個あるいは６個のサブフレームを含むことができる。
【０１２８】
この際、サブフレームは、通信システム、例えばＬＴＥ（Long Term Evolution）システムのＭＢＳＦＮ（Multicast Broadcast Single Frequency Network）サブフレーム（subframe）、またはノーマル（Normal）ＣＰ（Cyclic Prefix）を有するノーマルサブフレーム（Normal subframe）、拡張（Extended）ＣＰ（Cyclic Prefix）を有するノーマルサブフレーム（Normal subframe）でありうる。
【０１２９】
この際、１つの構成された位置参照信号サブフレーム（PRS subframe）は周波数軸には全体帯域割当幅（ＢＷ、Bandwidth）だけ使用することができるが、実施形態はこれに制限されず、全体帯域割当幅のうちの一部のみ使用することもできる。
【０１３０】
即ち、帯域割当幅（ＢＷ）が１０Ｍｈｚの場合、合計５０個のリソースブロック（Resource Block（ＲＢ））があり、上記構成された位置参照信号（ＰＲＳ）パターンは周波数軸には１つのＲＢに関するものであるので、周波数軸に１つの構成された位置参照信号サブフレーム（PRS subframe）を有して５０個を構成することができる。この場合、上記生成した１つの位置参照信号サブフレームパターンをそのまま５０個に複写して、周波数軸には同一なパターンで位置参照信号ＲＢを構成することもでき、互いに異なるパターンで位置参照信号ＲＢを構成することもできる。
【０１３１】
時間軸には前述したように、毎１６、３２、６４、１２８フレーム（radio frame）周期で１つのフレーム（radio frame）に属する１０個のサブフレームのうち、初めの１つ、あるいは２個、４個、６個の位置参照信号サブフレームを使用することができる。この際、位置参照信号サブフレームの以外の残りのサブフレームは既存のサブフレームで構成される。
【０１３２】
この際、時間軸に最大６個の位置参照信号サブフレームは、上記生成された１つのサブフレームと同一なパターンであることもあり（time non-varying、時間軸に変わらない）、上記生成された１つのサブフレームとは互いに異なるパターンであることもある（time-varying、時間軸に変わる）。即ち、位置参照信号サブフレームがサブフレームナンバー（subframe Number）毎に変わることも、変わらないこともある。
【０１３３】
また、時間累積（time accumulation）効果を得るために、上記繰り返されるパターンを同時に総合的に考慮して、ＯＴＤＯＡ方式により信号パワーの到着時間（time of arrival for signal power）を測定することもでき、より多いシステムに特化した情報の区分のために、各々の位置参照信号サブフレームに対し、各々の信号パワーの到着時間を測定することもできる。
【０１３４】
例えば、２個のサブフレームを周期的に位置参照信号サブフレームのために使用する場合、２個のサブフレーム時間／周波数（time／frequency）パターンに該当する（パターンに該当するＲＥが位置する全ての特定の時間と周波数帯域での）信号を全て同時に総合的に考慮して、ＯＴＤＯＡ方式で信号パワーの到着時間を測定する場合、時間累積（time accumulation）効果を得て、端末（ＵＥ）の位置検出時のエラーを減らすことができ（性能を向上させることができ）、各々の位置参照信号サブフレーム（subframe）で各々の信号パワーの到着時間を別に測定する場合、１つのサブフレームを使用する時に比べて自乗倍の情報を更に区分することができる。
【０１３５】
一旦、時間不変（time non-varying）の場合、既存の場合（case）毎に生成された位置参照信号サブフレームパターンをそのまま時間軸に周期的に使用する各々のＮsubframe個のサブフレームに同一なパターンで構成することができる。これを各場合で表により構成すれば、下記の通りである。この際、繰り返されるＮsubframe個のサブフレームパターンを同時に総合的に考慮してＯＴＤＯＡ方式により信号パワーの到着時間（time of arrival for signal power）を測定することで、Ｎsubframe個のサブフレームに対する時間累積（time accumulation）効果を得ることができる。
【０１３６】
１．時間不変ケース（time non-varying case）
：Ｎsubframe回累積（Ｎsubframe accumulation）（Ｎsubframe＝１、２、４、６）
【表２】
2012523736.tif 000022
【０１３７】
時間可変（time varying）の場合、既存にケース（case）毎に生成された位置参照信号サブフレームパターンを時間軸に周期的に使用する各々のＮsubframe個のサブフレームで、サブフレーム毎に互いに異なるパターンで構成することができる。２４個のパターンが存在するケース２（Case 2）の場合、２４個のパターンを周波数軸に１２回の循環シフト（Cyclic Shift）と時間軸に循環シフトしないとか、１だけ循環シフトして構成される。
【０１３８】
即ち、ケース２（case 2）の場合、最初の位置参照信号サブフレームの場合、時間軸に循環シフトが０の場合の周波数軸への１２個の循環シフトされる場合と、時間軸に循環シフトが１（あるいは、６）の場合の周波数軸に１２個の循環シフトにより２４個のパターンが生成される。したがって、時間軸に循環シフトが２〜１１（あるいは、１〜５及び７〜１１）までに該当する残りの１０個の時間軸への循環シフトは位置参照信号パターン形成に使われないが、これを残りのサブフレームに用いることができる。
【０１３９】
例えば、１番目の位置参照信号サブフレームの場合、時間軸に循環シフトが０の場合と１の場合の各々１２個の周波数軸への循環シフトに２４個のパターンを形成したならば、２番目の位置参照信号サブフレームの場合、時間軸に循環シフトが２の場合と３の場合の各々１２個の周波数軸への循環シフトから２４個の最初のサブフレームで使われた位置参照信号パターンとは異なるパターンを形成することができる。３番目の位置参照信号サブフレームの場合、時間軸に循環シフトが４の場合と５の場合、４番目の位置参照信号サブフレームの場合、時間軸に循環シフトが６の場合と７の場合、５番目の位置参照信号サブフレームの場合、時間軸に循環シフトが８の場合と９の場合、６番目の位置参照信号サブフレームの場合、時間軸に循環シフトが１０の場合と１１の場合に対して位置参照信号パターンを形成して各々使用することができる。
【０１４０】
また、他の方式により１番目の位置参照信号サブフレームの場合、時間軸に循環シフトが０の場合と６の場合の各々１２個の周波数軸への循環シフトで２４個のパターンを形成したならば、２番目の位置参照信号サブフレームの場合、時間軸に循環シフトが１の場合と７の場合の各々１２個の周波数軸への循環シフトから２４個の最初のサブフレームで使われた位置参照信号パターンとは異なるパターンを形成することができる。３番目の位置参照信号サブフレームの場合、時間軸に循環シフトが２の場合と８の場合、４番目の位置参照信号サブフレームの場合、時間軸に循環シフトが３の場合と９の場合、５番目の位置参照信号サブフレームの場合、時間軸に循環シフトが４の場合と１０の場合、６番目の位置参照信号サブフレームの場合、時間軸に循環シフトが５の場合と１１の場合に対して位置参照信号パターンを形成して各々使用することができる。
【０１４１】
2012523736.tif 000023
【数１１】
2012523736.tif 000024
2012523736.tif 000025
【数１２】
2012523736.tif 000026
2012523736.tif 000027
【０１４２】
ケース３（Case 3）の場合、最初の位置参照信号サブフレームの場合、時間軸に循環シフトが０の場合の周波数軸への１２個の循環シフトされる場合で、１２個のパターンが生成される。したがって、時間軸に循環シフトが１〜１１までに該当する残りの１１個の時間軸に循環シフトは位置参照信号パターン形成に使われないが、これを残りのサブフレームに用いることができる。
これを数式で表現すれば、下記の通りである。
【０１４３】
2012523736.tif 000028
【数１３】
2012523736.tif 000029
2012523736.tif 000030
【数１４】
2012523736.tif 000031
2012523736.tif 000032
【０１４４】
同様に、ケース４（Case 4）の場合、最初の位置参照信号サブフレームの場合、時間軸に循環シフトが０の場合の周波数軸への６個の循環シフトされる場合で、６個のパターンが生成される。したがって、時間軸に循環シフトが１〜１１までに該当する残りの１１個の時間軸に循環シフトは位置参照信号パターン形成に使われないが、これもやはり残りのサブフレームに用いることができる。例えば、２番目の位置参照信号サブフレームの場合、時間軸に循環シフトが２の場合の１２個の周波数軸への循環シフトから１２個の最初のサブフレームで使われた位置参照信号パターンとは異なるパターンを形成することができる。
【０１４５】
３番目の位置参照信号サブフレームの場合、時間軸に循環シフトが４の場合、４番目の位置参照信号サブフレームの場合、時間軸に循環シフトが６の場合、５番目の位置参照信号サブフレームの場合、時間軸に循環シフトが８の場合、６番目の位置参照信号サブフレームの場合、時間軸に循環シフトが１０の場合に対して位置参照信号パターンを形成して各々使用することができる。
これを数式で表現すれば、下記の通りである。
【０１４６】
2012523736.tif 000033
【数１５】
2012523736.tif 000034
2012523736.tif 000035
【数１６】
2012523736.tif 000036
2012523736.tif 000037
【０１４７】
この際、繰り返されるＮ個のサブフレームパターンを同時に総合的に考慮してＯＴＤＯＡ方式により信号パワーの到着時間（time of arrival for signal power）を測定することで、Ｎ個のサブフレームに対する時間累積（time accumulation）効果を得ることができる。
これを整理すれば、下記の表の通りである。
【０１４８】
２．時間可変（time varying case）
：Ｎsubframe回累積（accumulation）（Ｎsubframe＝１、２、４、６）
ａ）Ｃａｓｅ１：１４４個のCell group、累積無し（none）
ｂ）Ｃａｓｅ２：２４個のCell Group、Ｎsubframe回累積（accumulation）
【表３】
2012523736.tif 000038
【０１４９】
2012523736.tif 000039
【０１５０】
ｃ）Ｃａｓｅ３：１２個のCell Group、Ｎsubframe回累積（accumulation）
【表４】
2012523736.tif 000040
【０１５１】
2012523736.tif 000041
【０１５２】
ｄ）Ｃａｓｅ４：６個のCell Group、Ｎsubframe accumulation
【表５】
2012523736.tif 000042
【０１５３】
2012523736.tif 000043
【０１５４】
以上、上記の方式で言及したように、時間累積（time accumulation）効果を得るためには、上記繰り返されるパターンを同時に総合的に考慮してＯＴＤＯＡ方式により信号パワーの到着時間（time of arrival for signal power）を測定する。即ち、２個以上のサブフレームを周期的に位置参照信号サブフレームのために使用する場合、２個以上のサブフレーム時間／周波数（subframe time／frequency）パターンに該当する（パターンに該当するＲＥが位置する全ての特定の時間と周波数帯域での）信号を全て同時に総合的に考慮してＯＴＤＯＡ方式により信号パワーの到着時間を測定する場合、時間累積（time accumulation）効果を得て端末（ＵＥ）の位置検出時のエラーを減らすことができる（性能を向上させることができる）。
【０１５５】
これとは異なり、より多いシステムに特化した情報の区分のために、各々の位置参照信号サブフレームに対し、各々の信号パワーの到着時間を測定することもできる。即ち、各々の位置参照信号サブフレームで各々の信号パワーの到着時間を別に測定する場合、１つのサブフレームを使用する時に比べてより多くのパターン類型を生成することができ、これを通じてより多くのシステムに特化した情報を区分することができる。
【０１５６】
例えば、２個のサブフレームを使用する場合、Ｃａｓｅ２を通じて最初のサブフレームでは合計２４個のパターンを生成し、これを通じて最大２４個のシステムに特化した情報（Cell-ID等）を区分することができる。２番目のサブフレームでも同様に合計２４個のパターンを生成することができ、各々の位置参照信号サブフレームで各々の信号パワーの到着時間を別に測定する場合、２個のサブフレームの各々の２４個のパターン類型を通じて合計２４＊２４＝５７６のパターンの場合の数を求めることができる。これを通じて２個のサブフレームを構成する場合、合計５７６種類のシステムに特化した情報（cell-ID等）を区分することができる。
【０１５７】
４個のサブフレームを使用する場合、同一な方式により２４＊２４＊２４＊２４個のシステムに特化した情報を区分することもできるが、システムに特化した情報がcell-IDの場合、現在ＬＴＥ Ｒｅｌ−８のＰＣＩ（Physical Cell Identity）の合計が５０４個であるので、既に５７６個のパターンの場合の数に全て区分可能であるので、４個のサブフレームを、合計２個サブフレームを有する２個のグループに、１つの各々のグループで上記のような方式を適用する場合、２４＊２４＝５７６個のシステムに特化した情報の区分が可能であり、同時に２だけの時間累積（time accumulation）効果を得ることができる。
【０１５８】
６個のサブフレームを使用する場合には、同一な方式により合計２個のサブフレームを有する３個のグループに、１つの各々のグループで上記のような方式を適用する場合、２４＊２４＝５７６個のシステムに特化した情報の区分が可能であり、同時に３だけの時間累積（time accumulation）効果を得ることができる。
【０１５９】
これを整理すれば、下記の表の通りである。
３．時間可変（time varying case）
：Ｎsubframe／２回累積（accumulation）（Ｎsubframe＝２、４、６）
１）Ｃａｓｅ２−１：２４＊２４＝５７６個のCell Group（ＰＣＩ ５０４個全区分可能）、１回累積（accumulation）
【表６】
2012523736.tif 000044
【０１６０】
2012523736.tif 000045
【０１６１】
即ち、互いに異なる合計２４個のパターンが生成された最初のサブフレームと２番目の位置参照信号サブフレームの各々で、各々の信号パワーの到着時間を別に測定する場合、２個のサブフレームの各々の２４個のパターン類型を通じて合計２４＊２４＝５７６種類のパターンの場合の数を求めて、合計５７６種類のシステムに特化した情報（cell-ID等）を区分することができる。
【０１６２】
２）Ｃａｓｅ２−２：２４＊２４＝５７６個のCell Group（ＰＣＩ ５０４個全区分可能）、２回累積（accumulation）
【表７】
2012523736.tif 000046
【０１６３】
2012523736.tif 000047
【０１６４】
４個のサブフレームを使用する場合、４個のサブフレームを合計２個のサブフレームを有する２個のグループに、１つの各々のグループで上記のような方式を適用する場合、２４＊２４＝５７６個のシステムに特化した情報の区分が可能であり、同時に２つだけの時間累積（time accumulation）効果を得ることができる。
【０１６５】
３）Ｃａｓｅ２−２：２４＊２４＝５７６個のCell Group（ＰＣＩ ５０４個全区分可能）、３回累積（accumulation）
【表８】
2012523736.tif 000048
【０１６６】
2012523736.tif 000049
【０１６７】
６個のサブフレームを使用する場合には同一な方式により合計２個サブフレームを有する３個のグループに、１つの各々のグループで上記のような方式を適用する場合、２４＊２４＝５７６個のシステムに特化した情報の区分が可能であり、同時に３だけの時間累積（time accumulation）効果を得ることができる。
【０１６８】
一実施形態に係るＭ×Ｎモジューラーソナーシーケンスを用いて位置参照信号（ＰＲＳ）パターンを割り当てる方法及び装置が適用された無線通信システムのダウンリンク物理チャンネルの例を下記に説明する。
【０１６９】
図１７は、本発明の実施形態が適用される無線通信システムのダウンリンク物理チャンネルの信号生成構造を示す図である。
【０１７０】
図１７を参照すると、実施形態が適用される無線通信システム９００は、スクランブラ９１０及びモジュレーションマッパー９１２、レイヤマッパー９１４、プリコーダ９１６、リソースエレメントマッパー９１８、及びＯＦＤＭ信号生成器９２０を含む。また、無線通信システム９００は、位置参照信号マッピング部９２２を含む。この際、この位置参照信号マッピング部は前述した図１または図９に図示した位置参照信号マッピング部１２０、６３０と同一である。ここで、位置参照信号（ＰＲＳ）マッピング部９２２は、リソース（Resource）エレメント（element）マッパー９１８と連係し、上記位置参照信号マッピング部９２２は、リソースエレメントマッパー９１８の全体リソースエレメントでの信号資源（signal resource）マッピング過程で位置参照信号（ＰＲＳ）資源に該当するリソースエレメントでのマッピング過程を実行する。即ち、上記位置参照信号マッピング部は、リソースエレメントのマッピング過程で、位置参照信号（ＰＲＳ）と連係されたリソースエレメントマッパー９１８の特殊機能を実行する装置に該当する。両者の構成要素が同一な場合、無線通信システム９００は、図１及び図９の位置参照信号マッピング部１２０、６３０の以外の他の構成要素も含むことができる。
【０１７１】
一方、この無線通信システム９００は、位置参照信号を転送するために、図１または図９に図示された装置を含む各々の基地局の通信システムまたは送信装置でありうる。
【０１７２】
ダウンリンクからチャンネルコーディングを経てコードワード（code words）形態に入力されるビットは、スクランブラ９１０によりスクランブリングされた後、モジュレーションマッパー（Modulation mapper）９１２に入力される。モジュレーションマッパー９１２は、スクランブリングされたビットを複素モジュレーションシンボルに変調し、レイヤマッパー（Layer Mapper）９１４は、複素モジュレーションシンボルを１つまたは多数の転送レイヤにマッピングする。その後、プリコーダ９１６はアンテナポートの各転送チャンネル上で複素モジュレーションシンボルをプリコーディングする。その後、リソースエレメントマッパー（Resource element Mapper）９１８が各アンテナポートに対する複素モジュレーションシンボルを該当リソースエレメントにマッピングする。一方、位置参照信号マッピング部９２２は、図１を参照して説明したＭ×Ｎモジューラーソナーシーケンス生成部１１０を通じて生成された第２のＭ×Ｎモジューラーソナーシーケンスから位置参照信号パターンを形成して位置参照信号をマッピングしたり、図９を参照して説明したＭ×（Ｎ−Ｎ′）モジューラーソナーシーケンス生成部６２０を通じて生成された第２Ｎ×（Ｎ−Ｎ′）モジューラーソナーシーケンスから位置参照信号パターンを形成して位置参照信号をマッピングしたりすることができる。
【０１７３】
即ち、位置参照信号マッピング部９２２は、上記無線通信システム９００で、特定の位置参照信号シーケンス（sequence）により生成され、各装置９１０、９１２、９１４、９１６のうち、少なくとも１つ以上を経て出た位置参照信号をモジューラーソナーシーケンスから形成された位置参照信号パターンによって特定のＯＦＤＭシンボル（時間軸）及び副搬送波（周波数軸）が位置する資源に該当するリソースエレメントに割り当てて、予め決まったフレームタイミングに基地局転送フレームと多重化する。
【０１７４】
この際、既存参照信号（ＲＳ）と制御信号及びプリコーダ９１６から入力を受けたデータはリソースエレメントマッパー９１８により特定のＯＦＤＭシンボル（時間軸）及び副搬送波（周波数軸）が位置する資源に該当する各リソースエレメントに割り当てられ、ここで、位置参照信号（ＰＲＳ）を該当各リソースエレメントに割り当てるために、リソースエレメントマッパー９１８に追加される特殊機能（位置参照信号パターンを形成して位置参照信号をマッピングする）の役割を担う装置が上記位置参照信号（ＰＲＳ）マッピング部に該当する。
【０１７５】
その後、ＯＦＤＭ信号生成器９２０が各アンテナのための複素時間ドメインＯＦＤＭ信号に生成される。この複素時間ドメインＯＦＤＭ信号はアンテナポートを介して送信される。
【０１７６】
上記に図１７を参照して実施形態が適用される無線通信システムのダウンリンク物理チャンネルの信号生成構造を説明したが、本発明はこれに制限されるものではない。即ち、本発明の実施形態が適用される無線通信システムのダウンリンク物理チャンネルの信号生成構造は、他の構成要素は省略されたり、他の構成要素に置換または変更されたり、他の構成要素が追加できる。
【０１７７】
図１８は、無線通信システムにおける受信機の構造を示す図である。
【０１７８】
図１８を参照すると、無線通信システムにおける端末の受信装置１０００は、受信処理部１０１０と、デコーディング部１０１２、及び制御部１０１４を含む。この際、この受信機１０００は、位置参照信号を受信してデコーディングするために、図１または図９に図示された装置を含む各々の端末（ユーザ装置（ＵＥ））、あるいは端末（ユーザ装置（ＵＥ））から受信された位置参照信号に対する情報の再転送を受けた各々の基地局でありうる。
【０１７９】
各アンテナポートを介して受信した信号を受信処理部１０１０により複素時間ドメイン信号に変換される。また、受信処理部１０１０は受信された信号から特定のリソースエレメントに位置参照信号（ＰＲＳ）を抽出する。デコーディング部１０１２は、抽出された位置参照信号（ＰＲＳ）をデコーディングする。制御部１０１４は、デコーディングされた位置参照信号（ＰＲＳ）情報を通じて基地局から相対的な到着時間を用いて基地局から距離を測定する。
【０１８０】
この際、制御部１０１４は、基地局から相対的な到着時間を用いて基地局から距離を計算することもできるが、相対的な到着時間を基地局に転送して基地局がその距離を計算することもできる。この際、３箇所以上の基地局から距離を測定するので、端末の位置を計算できるようになる。
【０１８１】
この際、２個以上のサブフレームにモジューラーソナーシーケンスを用いてセル毎に特化した位置参照信号（ＰＲＳ）パターンを生成及び転送する場合、受信装置は各サブフレームの位置参照信号（ＰＲＳ）パターンから受信した情報を一定の時間の間累積して各セルからの相対的な到着時間を測定することができる。
【０１８２】
前述したように、時間累積（time accumulation）効果を得るためには、上記繰り返されるパターンを同時に総合的に考慮して、ＯＴＤＯＡ方式で信号パワーの到着時間（time of arrival for signal power）を測定する。即ち、２個以上のサブフレームを周期的に位置参照信号サブフレームのために使用する場合、２個以上のサブフレーム時間／周波数（subframe time／frequency）パターンに該当する（パターンに該当するＲＥが位置する全ての特定の時間と周波数帯域での）信号を全て同時に総合的に考慮して、ＯＴＤＯＡ方式により信号パワーの到着時間を測定する場合、時間累積（time accumulation）効果を得て端末（ＵＥ）の位置検出時のエラーを減らすことができる（性能を向上させることができる）。
【０１８３】
これとは異なり、より多いシステムに特化した情報の区分のために、各々の位置参照信号サブフレームに対して各々の信号パワーの到着時間を測定することもできる。即ち、各々の位置参照信号サブフレームで各々の信号パワーの到着時間を別に測定する場合、１つのサブフレームを使用する時に比べてより多いパターン類型を生成することができ、これを通じてより多いシステムに特化した情報を区分することができる。
【０１８４】
ここに、受信装置１０００は、図１７を参照して説明した無線通信システム、または送信装置９００と対を成して送信装置９００から転送された信号を受信する装置である。したがって、受信装置１０００は、送信装置９００の逆過程の信号処理のための要素からなる。したがって、本明細書で、受信装置１０００に対して具体的に説明しない部分は、送信装置９００の逆過程の信号処理のための要素に一対一に代替できることと理解されるべきである。
【０１８５】
以上、図面を参照して実施形態を説明したが、本発明はこれに制限されるものではない。
【０１８６】
一方、上記の実施形態において、１つのサブフレームで、１４４個、２４個、１２個、６個の位置参照信号（ＰＲＳ）パターンを生成する方法を説明したが、これらは例示に過ぎないものであり、１つのサブフレームの形態によって多様な個数の位置参照信号（ＰＲＳ）パターンを生成してＯＴＤＯＡ方式のポジショニング（Positioning）に使用できる。
【０１８７】
上記の実施形態において、１つのサブフレームを基準にしてモジューラーソナーシーケンスを用いてセル毎に特化した互いに異なるパターンを有して位置参照信号（ＰＲＳ）パターンを生成する方法を説明した。ところが、サブフレームを含むフレーム（radio frame）で１つ以上のサブフレームに前述したモジューラーソナーシーケンスを用いてセル毎に特化した位置参照信号（ＰＲＳ）パターンを生成することができる。例えば、１０個のサブフレームから構成された１つのフレームで、１つまたは２個、３個、４個、６個のサブフレームに前述したモジューラーソナーシーケンスを用いてセル毎に特化した位置参照信号（ＰＲＳ）パターンを生成することができる。
【０１８８】
また、フレーム観点から１６、３２、６４、１２８フレーム周期でフレーム毎に特定の個数のサブフレームに前述したモジューラーソナーシーケンスを用いてセル毎に特化した位置参照信号（ＰＲＳ）パターンを生成することができる。例えば、１０個の１ｍｓサブフレームが１つのフレーム（合計１０ｍｓ）を構成する場合、３２フレーム（３２０ｍｓ）周期で、１つのフレームで、１つまたは２個、３個、４個、６個のサブフレームに前述したモジューラーソナーシーケンスを用いてセル毎に特化した位置参照信号（ＰＲＳ）パターンを生成することができる。
【０１８９】
この際、２個以上のサブフレームにモジューラーソナーシーケンスを用いてセル毎に特化した位置参照信号（ＰＲＳ）パターンを生成及び転送する場合、受信機は各サブフレームの位置参照信号（ＰＲＳ）パターンから受信した情報を一定の時間の間累積して各セルからの相対的な到着時間を測定することができる。
【０１９０】
上記の実施形態において、Ｍ×Ｎモジューラーソナーシーケンスを位置参照信号（ＰＲＳ）パターン生成に使用することと説明したが、本発明はＭ×Ｎモジューラーソナーシーケンスを位置参照信号（ＰＲＳ）の以外の他の参照信号、例えば周波数ドメインチャンネルの推定のために周波数ドメイングリッドの内に規則または不規則な間隔で挿入された特定の信号、またはシンボルである参照信号（reference signal）、または参照シンボル（reference symbol）、パイロットシンボル（pilot symbol）に使われることができる。例えばアップリンク転送時、参照信号にＤＭ−ＲＳ（Demodulation RS）、ＳＲＳ（Sounding RS）などがある。ダウンリンク転送時、参照信号にＣＲＳ（Cell-specific RS）、ＭＢＳＦＮ ＲＳ、ＵＥ−特化したＲＳ、ユーザ装置（端末）で中心のセルまたは隣接するセルの空間チャンネル情報（Channel Spatial Information（ＣＳＩ））を獲得するために、基地局から転送する参照信号にＣＳＩ−ＲＳ（ＣＱＩ−ＲＳ）などのパターンの生成に許容可能な範囲で、Ｍ×Ｎモジューラーソナーシーケンスを用いることができる。勿論、現在または将来に新しく定義されたり定義が変更されたりした全ての参照信号にＭ×Ｎモジューラーソナーシーケンスを用いることができる。
【０１９１】
また、参照信号の以外の端末と基地局の間の無線通信過程で必要とされるチャンネルの推定、位置の推定、及び制御情報やスケジューリングのための情報の送受信などのために、端末あるいは基地局が特定の時間及び周波数帯域で規定して受け渡す全ての信号のパターンを形成することに使用可能である。この際、信号パターンは時間（time）及び周波数（frequency）の２次元ドメイン（2-dimentional domain）グリッド（grid）の内に規則または不規則な間隔で特定の信号またはシンボルを挿入する場合、この特定の信号が時間及び周波数の２次元領域で挿入される形態に該当する。
【０１９２】
上記の実施形態において、Ｍ×Ｎモジューラーソナーシーケンスを、位置参照信号（ＰＲＳ）を含む参照信号のパターン生成に使用することと説明したが、本発明は位置参照信号（ＰＲＳ）を含む参照信号のパターン生成に前述したＭ×Ｎモジューラーソナーシーケンスと同一な特性を表す如何なるシーケンスのうちの１つ以上を用いて位置参照信号（ＰＲＳ）を含む参照信号のパターン生成に使用することができる。例えば、上記に例示したように、Ｍ＝Ｎの場合のＮ×Ｎモジューラーソナーシーケンスは、Ｎ×Ｎモジューラー（Modular；あるいは、パーフェクト（perfect））にコスタスアレイ（Costas Array）と同一な特性を表す。この場合、モジューラーソナーシーケンスは、モジューラーコスタスアレイを含むと見ることができる。
【０１９３】
2012523736.tif 000050
【数１７】
2012523736.tif 000051
2012523736.tif 000052
【０１９４】
2012523736.tif 000053
【数１８】
2012523736.tif 000054
2012523736.tif 000055
【数１９】
2012523736.tif 000056
2012523736.tif 000057
【０１９５】
2012523736.tif 000058
【数２０】
2012523736.tif 000059
2012523736.tif 000060
【数２１】
2012523736.tif 000061
2012523736.tif 000062
【０１９６】
本明細書で提案されたモジューラーソナーシーケンスを用いた位置参照信号パターンの生成方法は、ＯＦＤＭ基盤の無線移動通信システムに全て適用されることができ、ＯＦＤＭ基盤の無線移動通信システムの例には、E-UTRAN（ＬＴＥ）、E-EUTRAN（LTE-Advanced）、WIBRO、Mobile Wi-MAXなどがあり、その他にもＯＦＤＭ基盤の全ての無線移動通信端末機でポジショニング（positioning）を必要とする全ての無線移動通信システムに適用できることは勿論である。
【０１９７】
以上の説明は、本発明の技術事象を例示的に説明したことに過ぎないものであって、本発明が属する技術分野で通常の知識を有する者であれば、本発明の本質的な特性から逸脱しない範囲で多様な修正及び変形が可能である。したがって、本発明に開示された実施形態は本発明の技術事象を限定するためのものでなく、説明するためのものに過ぎず、このような実施形態により本発明の技術事象の範囲が限定されるものではない。本発明の保護範囲は、特許請求範囲により解釈されるべきであり、それと同等な範囲内にある全ての技術事象は本発明の権利範囲に含まれることと解釈されるべきである。
【０１９８】
本特許出願は、２００９年０４月１０日付で韓国に出願した特許出願番号第１０−２００９−００３１５４８号、２００９年０４月３０日付けで韓国に出願した特許出願番号第１０−２００９−００３８５６４号、２００９年０６月２４日付けで韓国に出願した特許出願番号第１０−２００９−００５６７０５号、２００９年０６月２４日付けで韓国に出願した特許出願番号第１０−２００９−００５６７０８号、２００９年０７月０１日付けで韓国に出願した特許出願番号第１０−２００９−００５９９７８号に対し、米国特許法１１９（ａ）条（３５Ｕ．Ｓ．Ｃ§１１９（ａ））によって優先権を主張すれば、その全ての内容は参考文献として本特許出願に併合される。
【図１】
2012523736.tif 000086
【図２】
2012523736.tif 000087
【図３】
2012523736.tif 000088
【図４】
2012523736.tif 000089
【図５】
2012523736.tif 000090
【図６】
2012523736.tif 000091
【図７】
2012523736.tif 000092
【図８】
2012523736.tif 000093
【図９】
2012523736.tif 000094
【図１０】
2012523736.tif 000095
【図１１】
2012523736.tif 000096
【図１２】
2012523736.tif 000097
【図１３】
2012523736.tif 000098
【図１４】
2012523736.tif 000099
【図１５】
2012523736.tif 000100
【図１７】
2012523736.tif 000101
【図１８】
2012523736.tif 000102
【図１９】
2012523736.tif 000103
【図１６】
2012523736.tif 000104
【図２０】
2012523736.tif 000105
【手続補正書】
【提出日】平成23年12月7日(2011.12.7)
【手続補正１】
【補正対象書類名】特許請求の範囲
【補正対象項目名】全文
【補正方法】変更
【補正の内容】
【特許請求の範囲】
【請求項１】
2012523736.tif 000106
【請求項２】
2012523736.tif 000107
【請求項３】
2012523736.tif 000108
【請求項４】
2012523736.tif 000109
【請求項５】
前記長さがＮである特定のシーケンスは、Ｎが６であり、｛０、１、２、３、４、５、６｝であることを特徴とする、請求項４に記載の位置参照信号パターン生成方法。
【請求項６】
2012523736.tif 000110
【請求項７】
2012523736.tif 000111
【請求項８】
2012523736.tif 000112
【請求項９】
2012523736.tif 000113
【請求項１０】
2012523736.tif 000114
【請求項１１】
前記特定の周期は１６、３２、６４、１２８フレーム周期であることを特徴とする、請求項１に記載の位置参照信号パターン生成方法。
【請求項１２】
前記Ｎsubframe個は１つまたは２個、４個、６個であり、前記Ｎsubframe個のサブフレームは前記位置参照信号が割り当てられた前記サブフレームを含む特定のフレームの初めに順次に位置することを特徴とする、請求項１に記載の位置参照信号パターン生成方法。
【請求項１３】
前記位置参照信号が割り当てられた前記サブフレームは、特定の周期のフレームの全体の０．１％〜１％に該当するサブフレームであることを特徴とする、請求項１２に記載の位置参照信号パターン生成方法。
【国際調査報告】
2012523736.tif 000115
2012523736.tif 000116
2012523736.tif 000117
2012523736.tif 000118